(57)【要約】  実施形態は、ユーザ機器（ＵＥ）が、無線アクセスネットワーク（ＲＡＮ）におけるネットワークノードによって提供されるセルにおけるランダムアクセス（ＲＡ）プロシージャ中にダウンリンク（ＤＬ）チャネル品質報告を提供するための方法を含む。そのような実施形態は、ネットワークノードから、ＵＥがＲＡプロシージャの特定のメッセージ中でＤＬチャネル品質を報告しなければならないことがあることを示す第１のインジケータを受信することと、ＲＡプロシージャを開始することとを含む。ＵＥは、カバレッジ拡張（ＣＥ）モードにおいて動作するように設定され得る。そのような実施形態は、第１のインジケータに基づいてＤＬチャネル品質測定を開始することをも含むことができ、ＤＬチャネル品質測定は、ネットワークノードからＲＡ応答を受信する前に開始され得る。他の実施形態は、ネットワークノードによって実施される相補的な方法、ならびに、それぞれの方法を実施するように設定されたＵＥおよびネットワークノードを含む。【選択図】図８
2021533651.tif 000002
【特許請求の範囲】
【請求項１】
無線アクセスネットワーク（ＲＡＮ）におけるネットワークノードによって提供されるセルにおけるランダムアクセス（ＲＡ）プロシージャ中にダウンリンク（ＤＬ）チャネル品質報告を提供するように設定されたユーザ機器（ＵＥ）のための方法であって、前記方法は、
前記ネットワークノードから、前記ＵＥが前記ＲＡプロシージャの特定のメッセージ中でＤＬチャネル品質を報告しなければならないことがあることを示す第１のインジケータを受信すること（８１０）と、
前記ＲＡプロシージャを開始すること（８３０）と
を含む、方法。
【請求項２】
前記第１のインジケータに基づいてＤＬチャネル品質測定を開始すること（８４０）をさらに含む、請求項１に記載の方法。
【請求項３】
前記ＤＬチャネル品質測定が、ＲＡ応答を受信する前に開始される、請求項２に記載の方法。
【請求項４】
前記ネットワークノードからＲＡ応答を受信すること（８５０）と、
前記第１のインジケータと、前記ＲＡ応答のコンテンツとのうちの少なくとも１つに基づいて、前記特定のメッセージ中にＤＬチャネル品質報告を含めるべきかどうかを決定すること（８６０）と
をさらに含む、請求項１から３のいずれか一項に記載の方法。
【請求項５】
前記第１のインジケータが、前記セルにおいてブロードキャストされたシステム情報と、前記ＲＡ応答とのうちの１つ中で受信される、請求項４に記載の方法。
【請求項６】
前記ＲＡ応答が、前記特定のメッセージ中にＤＬチャネル品質を報告するようにとの要求を含む、請求項４または５に記載の方法。
【請求項７】
前記ＲＡ応答が、前記特定のメッセージについてのリソースのアップリンクグラントを含み、
前記アップリンクグラントが、トランスポートブロックサイズ（ＴＢＳ）を含み、
前記ＤＬチャネル品質報告を含めるべきかどうかを決定すること（８６０）は、
前記ＴＢＳが前記ＤＬチャネル品質報告を搬送するのに十分に大きい、または
前記ＴＢＳが所定のしきい値を上回る
のうちの１つに基づいて、前記ＤＬチャネル品質報告を含めることを決定すること（８６２）
を含む、
請求項４から６のいずれか一項に記載の方法。
【請求項８】
前記ＲＡ応答は、前記ＵＥが前記特定のメッセージ中に早期データ送信（ＥＤＴ）を実施するべきであるか否かを示す第２のインジケータを含み、
前記ＤＬチャネル品質報告を含めるべきかどうかを決定すること（８６０）は、
前記第２のインジケータが、前記ＵＥが前記特定のメッセージ中にＥＤＴを実施するべきであることを示すとき、前記ＤＬチャネル品質報告を含めることを決定すること（８６４）
を含む、
請求項４から７のいずれか一項に記載の方法。
【請求項９】
前記セルにおいてブロードキャストされたシステム情報を介して、前記ネットワークノードが、前記特定のメッセージ中に早期データ送信（ＥＤＴ）を実施するように前記セルにおいてＲＡプロシージャを実施するＵＥに要求し得るか否かを示す第３のインジケータを受信すること（８２０）をさらに含む、請求項１から８のいずれか一項に記載の方法。
【請求項１０】
前記ネットワークノードに前記特定のメッセージを送信すること（８７０）であって、前記特定のメッセージが、ＤＬチャネル品質報告を条件付きで含む、前記特定のメッセージを送信すること（８７０）をさらに含む、請求項１から９のいずれか一項に記載の方法。
【請求項１１】
前記ＲＡＮがＬｏｎｇ−Ｔｅｒｍ  Ｅｖｏｌｕｔｉｏｎ（ＬＴＥ）ネットワークであり、前記特定のメッセージがＬＴＥ  ＲＡプロシージャのＭｓｇ３である、請求項１から１０のいずれか一項に記載の方法。
【請求項１２】
無線アクセスネットワーク（ＲＡＮ）におけるセルにおいてランダムアクセス（ＲＡ）プロシージャを実施するユーザ機器（ＵＥ）からのダウンリンク（ＤＬ）チャネル品質報告を可能にするために、前記セルを提供するように設定されたネットワークノードのための方法であって、前記方法は、
前記セルにおいて、前記ＵＥが前記ＲＡプロシージャの特定のメッセージ中でＤＬチャネル品質を報告しなければならないことがあることを示す第１のインジケータを送信すること（９１０）と、
特定のＵＥが前記セルにおいて前記ＲＡプロシージャを開始したと決定すること（９３０）と
を含む、方法。
【請求項１３】
前記特定のＵＥにＲＡ応答を送信すること（９４０）をさらに含む、請求項１２に記載の方法。
【請求項１４】
前記第１のインジケータが、前記セルにおいてブロードキャストされたシステム情報と、前記ＲＡ応答とのうちの１つ中で送信される、請求項１３に記載の方法。
【請求項１５】
前記ＲＡ応答が、前記特定のメッセージ中にＤＬチャネル品質を報告するようにとの要求を含む、請求項１３または１４に記載の方法。
【請求項１６】
前記ＲＡ応答が、前記特定のメッセージについてのリソースのアップリンクグラントを含み、
前記アップリンクグラントが、トランスポートブロックサイズ（ＴＢＳ）を含み、
前記特定のメッセージは、
前記ＴＢＳが前記ＤＬチャネル品質報告を搬送するのに十分に大きい、または
前記ＴＢＳが所定のしきい値を上回る
のうちの少なくとも１つが真であるとき、前記ＤＬチャネル品質報告を含む、
請求項１３から１５のいずれか一項に記載の方法。
【請求項１７】
前記ＲＡ応答は、前記ＵＥが前記特定のメッセージ中に早期データ送信（ＥＤＴ）を実施するべきであるか否かを示す第２のインジケータを含み、
前記特定のメッセージは、前記第２のインジケータが、前記ＵＥが前記特定のメッセージ中にＥＤＴを実施するべきであることを示すとき、前記ＤＬチャネル品質報告を含む、
請求項１３から１６のいずれか一項に記載の方法。
【請求項１８】
前記セルにおいてブロードキャストされたシステム情報を介して、前記ネットワークノードが、前記特定のメッセージ中に早期データ送信（ＥＤＴ）を実施するように前記セルにおいてＲＡプロシージャを実施するＵＥに要求し得るか否かを示す第３のインジケータを送信すること（９２０）をさらに含む、請求項１２から１７のいずれか一項に記載の方法。
【請求項１９】
前記特定のＵＥから前記特定のメッセージを受信することであって、前記特定のメッセージが、ＤＬチャネル品質報告を条件付きで含む、前記特定のメッセージを受信することをさらに含む、請求項１２から１８のいずれか一項に記載の方法。
【請求項２０】
前記ＲＡＮがＬｏｎｇ−Ｔｅｒｍ  Ｅｖｏｌｕｔｉｏｎ（ＬＴＥ）ネットワークであり、前記特定のメッセージがＬＴＥ  ＲＡプロシージャのＭｓｇ３である、請求項１２から１９のいずれか一項に記載の方法。
【請求項２１】
無線アクセスネットワーク（ＲＡＮ）におけるネットワークノードによって提供されるセルにおけるランダムアクセス（ＲＡ）プロシージャ中にダウンリンク（ＤＬ）チャネル品質報告を提供するように設定されたユーザ機器（ＵＥ）（１０１０、１１００、１４３０）であって、前記ＵＥは、
前記ネットワークノードと通信するように設定された無線インターフェース回路（１０１４、１１３１、１４３７）と、
前記無線インターフェース回路（１０１４、１１３１、１４３７）に動作可能に結合された処理回路（１０２０、１１０１、１４３８）であって、それにより、前記処理回路と前記無線インターフェース回路との組合せが、請求項１から１１のいずれか一項に記載の方法のいずれかに対応する動作を実施するように設定された、処理回路（１０２０、１１０１、１４３８）と
を備える、ユーザ機器（ＵＥ）（１０１０、１１００、１４３０）。
【請求項２２】
無線アクセスネットワーク（ＲＡＮ）におけるネットワークノードによって提供されるセルにおけるランダムアクセス（ＲＡ）プロシージャ中にダウンリンク（ＤＬ）チャネル品質報告を提供するように設定されたユーザ機器（ＵＥ）（１０１０、１１００、１４３０）であって、前記ＵＥが、請求項１から１１のいずれか一項に記載の方法のいずれかに対応する動作を実施するようにさらに構成された、ユーザ機器（ＵＥ）（１０１０、１１００、１４３０）。
【請求項２３】
ユーザ機器（１０１０、１１００、１４３０）の処理回路（１０２０、１１０１、１４３８）によって実行されたとき、前記ユーザ機器を、請求項１から１１のいずれか一項に記載の方法のいずれかに対応する動作を実施するように設定するコンピュータ実行可能命令を記憶する非一時的コンピュータ可読媒体（１０３０、１１２１）。
【請求項２４】
ユーザ機器（１０１０、１１００、１４３０）の処理回路（１０２０、１１０１、１４３８）によって実行されたとき、前記ユーザ機器を、請求項１から１１のいずれか一項に記載の方法のいずれかに対応する動作を実施するように設定するコンピュータ実行可能命令を備えるコンピュータプログラム製品。
【請求項２５】
無線アクセスネットワーク（ＲＡＮ）におけるセルを提供し、ユーザ機器（ＵＥ）からのダウンリンク（ＤＬ）チャネル品質報告を可能にするように設定されたネットワークノード（１０６０、１４２７）であって、前記ネットワークノードは、
前記ＵＥと通信するように動作可能な無線インターフェース回路（１０９０、１４２７）と、
前記無線インターフェース回路（１０９０、１４２７）に動作可能に結合された処理回路（１０７０、１４２８）であって、それにより、前記処理回路と前記無線インターフェース回路とが、請求項１２から２０のいずれか一項に記載の方法のいずれかに対応する動作を実施するように設定された、処理回路（１０７０、１４２８）と
を備える、ネットワークノード（１０６０、１４２７）。
【請求項２６】
無線アクセスネットワーク（ＲＡＮ）におけるセルを提供し、ユーザ機器（ＵＥ）からのダウンリンク（ＤＬ）チャネル品質報告を可能にするように設定されたネットワークノード（１０６０、１４２７）であって、前記ネットワークノードが、請求項１２から２０のいずれか一項に記載の方法のいずれかに対応する動作を実施するようにさらに構成された、ネットワークノード（１０６０、１４２７）。
【請求項２７】
ネットワークノード（１０６０、１４２７）の処理回路（１０７０、１４２８）によって実行されたとき、前記ネットワークノードを、請求項１２から２０のいずれか一項に記載の方法のいずれかに対応する動作を実施するように設定するコンピュータ実行可能命令を記憶する非一時的コンピュータ可読媒体（１０８０）。
【請求項２８】
ネットワークノード（１０６０、１４２７）の処理回路（１０７０、１４２８）によって実行されたとき、前記ネットワークノードを、請求項１２から２０のいずれか一項に記載の方法のいずれかに対応する動作を実施するように設定するコンピュータ実行可能命令を備えるコンピュータプログラム製品。
【発明の詳細な説明】
【技術分野】
【０００１】
本出願は、一般に、無線通信ネットワークおよびシステムの分野に関し、より詳細には、ユーザ機器（ＵＥ）がカバレッジ拡張モードにあるときでも、ＵＥが、無線ネットワークに向かうランダムアクセスプロシージャ中にダウンリンク（ＤＬ）チャネル品質を報告することを容易にする技法に関する。
【背景技術】
【０００２】
概して、本明細書で使用されるすべての用語は、異なる意味が、明確に与えられ、および／またはその用語が使用されるコンテキストから暗示されない限り、関連する技術分野における、それらの用語の通常の意味に従って解釈されるべきである。１つの（ａ／ａｎ）／その（ｔｈｅ）エレメント、装置、構成要素、手段、ステップなどへのすべての言及は、別段明示的に述べられていない限り、そのエレメント、装置、構成要素、手段、ステップなどの少なくとも１つの事例に言及しているものとしてオープンに解釈されるべきである。本明細書で開示されるいずれの方法のステップも、ステップが、別のステップに後続するかまたは先行するものとして明示的に説明されない限り、および／あるいはステップが別のステップに後続するかまたは先行しなければならないことが暗黙的である場合、開示される厳密な順序で実施される必要はない。本明細書で開示される実施形態のうちのいずれかの任意の特徴は、適切であればいかなる場合も、任意の他の実施形態に適用され得る。同じように、実施形態のうちのいずれかの任意の利点は、任意の他の実施形態に適用され得、その逆も同様である。同封の実施形態の他の目的、特徴、および利点は、以下の説明から明らかになる。
【０００３】
Ｌｏｎｇ−Ｔｅｒｍ  Ｅｖｏｌｕｔｉｏｎ（ＬＴＥ）は、拡張ＵＴＲＡＮ（Ｅ−ＵＴＲＡＮ）としても知られる、第３世代パートナーシッププロジェクト（３ＧＰＰ）内で開発され、リリース８および９において最初に規格化された、いわゆる第４世代（４Ｇ）無線アクセス技術のための包括的用語である。ＬＴＥは、様々なライセンス済み周波数帯域をターゲットにされ、エボルブドパケットコア（ＥＰＣ）ネットワークを含む、一般にシステムアーキテクチャエボリューション（ＳＡＥ）と呼ばれる非無線態様に対する改善が付随する。ＬＴＥは、後続のリリースを通して発展し続ける。リリース１１の特徴のうちの１つは拡張物理ダウンリンク制御チャネル（ｅＰＤＣＣＨ）であり、これは、制御チャネルリソースの容量を増加させることおよび空間再使用を改善することと、セル間干渉協調（ＩＣＩＣ）を改善することと、制御チャネルのためのアンテナビームフォーミングおよび／または送信ダイバーシティをサポートすることとの目標を有する。
【０００４】
ＬＴＥとＳＡＥとを備えるネットワークの全体的な例示的なアーキテクチャが、図１に示されている。Ｅ−ＵＴＲＡＮ１００は、ｅＮＢ１０５、１１０、および１１５など、１つまたは複数のエボルブドノードＢ（ｅＮＢ）と、ＵＥ１２０など、１つまたは複数のユーザ機器（ＵＥ）とを備える。３ＧＰＰ規格内で使用される「ユーザ機器」または「ＵＥ」は、第３世代（「３Ｇ」）および第２世代（「２Ｇ」）３ＧＰＰ無線アクセ
スネットワークが通常知られているような、Ｅ−ＵＴＲＡＮならびにＵＴＲＡＮおよび／またはＧＥＲＡＮを含む、３ＧＰＰ規格準拠ネットワーク機器と通信することが可能である、任意の無線通信デバイス（たとえば、スマートフォンまたはコンピューティングデバイス）を意味する。
【０００５】
３ＧＰＰによって指定されているように、Ｅ−ＵＴＲＡＮ１００は、無線ベアラ制御、無線アドミッション制御、無線モビリティ制御、スケジューリング、およびアップリンクおよびダウンリンクにおけるＵＥへのリソースの動的割り当て、ならびにＵＥとの通信のセキュリティを含む、ネットワークにおけるすべての無線関係機能の役目を果たす。これらの機能は、ｅＮＢ１０５、１１０、および１１５など、ｅＮＢ中に存在する。Ｅ−ＵＴＲＡＮにおけるｅＮＢは、図１に示されているように、Ｘ１インターフェースを介して互いと通信する。ｅＮＢはまた、ＥＰＣへのＥ−ＵＴＲＡＮインターフェースの役目を果たし、詳細には、図１中で、ＭＭＥ／Ｓ−ＧＷ１３４および１３８としてまとめて示されている、モビリティ管理エンティティ（ＭＭＥ）およびサービングゲートウェイ（ＳＧＷ）へのＳ１インターフェースの役目を果たす。概して、ＭＭＥ／Ｓ−ＧＷは、ＵＥの全体的制御と、ＵＥとＥＰＣの残りとの間のデータフローの両方をハンドリングする。より詳細には、ＭＭＥは、非アクセス階層（ＮＡＳ）プロトコルとして知られる、ＵＥとＥＰＣとの間のシグナリングプロトコルを処理する。Ｓ−ＧＷは、ＵＥとＥＰＣとの間のすべてのインターネットプロトコル（ＩＰ）データパケットをハンドリングし、ＵＥが、ｅＮＢ１０５、１１０、および１１５など、ｅＮＢ間を移動するとき、データベアラのためのローカルモビリティアンカーとして働く。
【０００６】
図２Ａは、ＬＴＥアーキテクチャの成分エンティティ、すなわち、ＵＥ、Ｅ−ＵＴＲＡＮ、およびＥＰＣに関する例示的なＬＴＥアーキテクチャと、アクセス階層（ＡＳ）および非アクセス階層（ＮＡＳ）への高レベル機能的分割との高レベルブロック図を示す。図２Ａは、特定のセットのプロトコル、すなわち、無線プロトコルおよびＳ１プロトコルを各々が使用する、２つの特定のインターフェースポイント、すなわち、Ｕｕ（ＵＥ／Ｅ−ＵＴＲＡＮ無線インターフェース）およびＳ１（Ｅ−ＵＴＲＡＮ／ＥＰＣインターフェース）をも示す。２つのプロトコルの各々は、さらに、ユーザプレーン（または「Ｕプレーン」）プロトコル機能と、制御プレーン（または「Ｃプレーン」）プロトコル機能とにセグメント化され得る。Ｕｕインターフェース上で、Ｕプレーンはユーザ情報（たとえば、データパケット）を搬送し、ＣプレーンはＵＥとＥ−ＵＴＲＡＮとの間の制御情報を搬送する。
【０００７】
図２Ｂは、物理（ＰＨＹ）レイヤと、媒体アクセス制御（ＭＡＣ）レイヤと、無線リンク制御（ＲＬＣ）レイヤと、パケットデータコンバージェンスプロトコル（ＰＤＣＰ）レイヤと、無線リソース制御（ＲＲＣ）レイヤとを備える、Ｕｕインターフェース上の例示的なＣプレーンプロトコルスタックのブロック図を示す。ＰＨＹレイヤは、ＬＴＥ無線インターフェース上のトランスポートチャネル上でデータを転送するために、特性がどのように使用されるか、およびどんな特性が使用されるかに関係する。ＭＡＣレイヤは、論理チャネル上で、データ転送サービスを提供し、論理チャネルをＰＨＹトランスポートチャネルにマッピングし、これらのサービスをサポートするためにＰＨＹリソースを再割り当てする。ＲＬＣレイヤは、上位レイヤにまたは上位レイヤから転送されるデータの、誤り検出および／または訂正と、連結と、セグメンテーションと、リアセンブリと、並べ替えとを提供する。ＰＨＹレイヤ、ＭＡＣレイヤ、およびＲＬＣレイヤは、ＵプレーンとＣプレーンの両方について同等の機能を実施する。ＰＤＣＰレイヤは、ＵプレーンとＣプレーンの両方について暗号化／解読と完全性保護とを提供し、ならびに、Ｕプレーンについて、ヘッダ圧縮などの他の機能を提供する。
【０００８】
図２Ｃは、ＰＨＹの観点からの例示的なＬＴＥ無線インターフェースプロトコルアーキテクチャのブロック図を示す。様々なレイヤ間のインターフェースが、図２Ｃ中で楕円によって示された、サービスアクセスポイント（ＳＡＰ）によって提供される。ＰＨＹレイヤは、上記で説明されたＭＡＣプロトコルレイヤおよびＲＲＣプロトコルレイヤとインターフェースする。ＭＡＣは、（同じく上記で説明された）ＲＬＣプロトコルレイヤに、転送される情報のタイプによって特徴づけられる異なる論理チャネルを提供するが、ＰＨＹは、ＭＡＣに、無線インターフェース上で情報がどのように転送されるかによって特徴づけられるトランスポートチャネルを提供する。このトランスポートサービスを提供する際に、ＰＨＹは、誤り検出および訂正と、物理チャネル上へのコード化トランスポートチャネルのレートマッチングおよびマッピングと、物理チャネルの電力重み付け、変調、および復調と、送信ダイバーシティと、ビームフォーミング多入力多出力（ＭＩＭＯ）アンテナ処理と、ＲＲＣなど、上位レイヤに無線測定を提供することとを含む様々な機能を実施する。
【０００９】
ＬＴＥ  ＰＨＹによって提供されるダウンリンク（すなわち、ｅＮＢからＵＥへの）物理チャネルは、物理ダウンリンク共有チャネル（ＰＤＳＣＨ）と、物理マルチキャストチャネル（ＰＭＣＨ）と、物理ダウンリンク制御チャネル（ＰＤＣＣＨ）と、リレー物理ダウンリンク制御チャネル（Ｒ−ＰＤＣＣＨ）と、物理ブロードキャストチャネル（ＰＢＣＨ）と、物理制御フォーマットインジケータチャネル（ＰＣＦＩＣＨ）と、物理ハイブリッド自動再送要求指示チャネル（ＰＨＩＣＨ）とを含む。さらに、ＬＴＥ  ＰＨＹダウンリンクは、様々な参照信号と、同期信号と、発見信号とを含む。
【００１０】
ＬＴＥ  ＰＨＹによって提供されるアップリンク（すなわち、ＵＥからｅＮＢへの）物理チャネルは、物理アップリンク共有チャネル（ＰＵＳＣＨ）と、物理アップリンク制御チャネル（ＰＵＣＣＨ）と、物理ランダムアクセスチャネル（ＰＲＡＣＨ）とを含む。さらに、ＬＴＥ  ＰＨＹアップリンクは、関連するＰＵＣＣＨまたはＰＵＳＣＨの受信においてｅＮＢを助けるために送信される復調用参照信号（ＤＭ−ＲＳ）と、アップリンクチャネルに関連しないサウンディング参照信号（ＳＲＳ）とを含む、様々な参照信号を含む。
【００１１】
ＬＴＥリリース８以来、３つのシグナリング無線ベアラ（ＳＲＢ）、すなわち、ＳＲＢ０、ＳＲＢ１およびＳＲＢ２が、ＵＥとｅＮＢとの間のＲＲＣメッセージおよび非アクセス階層（ＮＡＳ）メッセージのトランスポートのために利用可能になっている。また、ＳＲＢ１ｂｉｓとして知られる新しいＳＲＢが、ＮＢ−ＩｏＴにおけるＤｏＮＡＳ（データオーバーＮＡＳ）をサポートするためにｒｅｌ−１３において導入された。
【００１２】
ＳＲＢ０は、ＣＣＣＨ論理チャネルを使用するＲＲＣメッセージを搬送し、ＳＲＢ０は、ＲＲＣ接続セットアップ、再開、および再確立をハンドリングするために使用される。ＵＥがｅＮＢに接続される（すなわち、ＲＲＣ接続セットアップまたはＲＲＣ接続再確立／再開が成功する）と、ＳＲＢ１は、すべてがＤＣＣＨ論理チャネルを使用する、ＳＲＢ２の確立より前の、（ピギーバックＮＡＳメッセージを含み得る）さらなるＲＲＣメッセージとＮＡＳメッセージとをハンドリングするために使用される。ＳＲＢ２は、すべてがＤＣＣＨを使用する、ロギングされた測定情報などのＲＲＣメッセージのために、ならびに、ＮＡＳメッセージのために使用される。ＳＲＢ２は、ロギングされた測定情報およびＮＡＳメッセージが、冗長であり得、より緊急のおよびより小さいＳＲＢ１メッセージの阻止を引き起こし得るので、ＳＲＢ１よりも低い優先度を有する。ＳＲＢ２は、常に、セキュリティアクティブ化の後にＥ−ＵＴＲＡＮによって設定される。
【００１３】
ＬＴＥ  ＰＨＹのための多元接続方式は、ダウンリンクでは、サイクリックプレフィックス（ＣＰ）を用いた直交周波数分割多重（ＯＦＤＭ）に基づき、アップリンクでは、サイクリックプレフィックスを用いたシングルキャリア周波数分割多元接続（ＳＣ−ＦＤＭＡ）に基づく。対スペクトルと不対スペクトルにおける送信をサポートするために、ＬＴＥ  ＰＨＹは、（全二重動作と半二重動作の両方を含む）周波数分割複信（ＦＤＤ）と時分割複信（ＴＤＤ）の両方をサポートする。図３は、ＬＴＥ  ＦＤＤダウンリンク（ＤＬ）動作のために使用される、例示的な無線フレーム構造（「タイプ１」）を示す。ＤＬ無線フレームは、１０ｍｓの固定持続時間を有し、各々が０．５ｍｓの固定持続時間をもつ、０〜１９と標示された２０個のスロットからなる。１ｍｓサブフレームは、２つの連続するスロットを備え、ここで、サブフレームｉは、スロット２ｉとスロット２ｉ＋１とからなる。各例示的なＦＤＤ  ＤＬスロットは、ＮＤＬｓｙｍｂ個のＯＦＤＭシンボルからなり、ＮＤＬｓｙｍｂ個のＯＦＤＭシンボルの各々は、Ｎｓｃ個のＯＦＤＭサブキャリアを備える。ＮＤＬｓｙｍｂの例示的な値は、１５ｋＨｚのサブキャリア帯域幅（または間隔）の場合、（ノーマルＣＰでは）７または（拡張された長さのＣＰでは）６であり得る。Ｎｓｃの値は、利用可能なチャネル帯域幅に基づいて設定可能である。当業者がＯＦＤＭの原理に精通しているので、さらなる詳細は本明細書では省略される。
【００１４】
図３に示されているように、特定のシンボル中の特定のサブキャリアの組合せは、リソースエレメント（ＲＥ）として知られる。各ＲＥは、そのＲＥのために使用される変調および／またはビットマッピングコンスタレーションのタイプに応じて、特定の数のビットを送信するために使用される。たとえば、いくつかのＲＥは、ＱＰＳＫ変調を使用して２ビットを搬送し得、他のＲＥは、それぞれ１６ＱＡＭまたは６４ＱＡＭを使用して、４ビットまたは６ビットを搬送し得る。また、ＬＴＥ  ＰＨＹの無線リソースは、物理リソースブロック（ＰＲＢ）に関して規定される。ＰＲＢは、スロットの持続時間（すなわち、ＮＤＬｓｙｍｂ個のシンボル）にわたってＮＲＢｓｃ個のサブキャリアに及び、ＮＲＢｓｃは、一般に、（１５ｋＨｚサブキャリア帯域幅では）１２、または（７．５ｋＨｚ帯域幅）２４のいずれかである。サブフレーム全体（すなわち、２ＮＤＬｓｙｍｂ個のシンボル）中に同じＮＲＢｓｃ個のサブキャリアに及ぶＰＲＢは、ＰＲＢペアとして知られる。したがって、ＬＴＥ  ＰＨＹ  ＤＬのサブフレーム中で利用可能なリソースは、ＮＤＬＲＢ個のＰＲＢペアを備え、ＮＤＬＲＢ個のＰＲＢペアの各々が２ＮＤＬｓｙｍｂ・ＮＲＢｓｃ個のＲＥを備える。ノーマルＣＰおよび１５ＫＨｚサブキャリア帯域幅の場合、ＰＲＢペアは１６８個のＲＥを備える。
【００１５】
ＰＲＢの１つの例示的な特性は、連続的に番号を付けられたＰＲＢ（たとえば、ＰＲＢｉおよびＰＲＢｉ＋１）が、連続するブロックのサブキャリアを備えることである。たとえば、ノーマルＣＰおよび１５ＫＨｚサブキャリア帯域幅では、ＰＲＢ０がサブキャリア０〜１１を備え、ＰＲＢ１がサブキャリア１２〜２３を備える。また、ＬＴＥ  ＰＨＹリソースは、仮想リソースブロック（ＶＲＢ）に関して規定され得、ＶＲＢは、ＰＲＢと同じサイズであるが、局所タイプまたは分散タイプのいずれかのものであり得る。局所ＶＲＢは、ＶＲＢ  ｎＶＲＢが、ＰＲＢ  ｎＰＲＢ＝ｎＶＲＢに対応するように、ＰＲＢに直接マッピングされ得る。一方、分散ＶＲＢは、３ＧＰＰ技術仕様（ＴＳ）３６．２１３において記載されているように、またはさもなければ当業者に知られているように、様々なルールに従って非連続ＰＲＢにマッピングされ得る。しかしながら、「ＰＲＢ」という用語は、本開示では、物理リソースブロックと仮想リソースブロックの両方を指すために使用されるものとする。その上、「ＰＲＢ」という用語は、今後、別段に規定されていない限り、サブフレームの持続時間の間のリソースブロック、すなわち、ＰＲＢペアを指すために使用される。
【００１６】
ＬＴＥ  ＰＨＹによって搬送されるダウンリンク（すなわち、ｅＮＢからＵＥへの）物理チャネルは、物理ダウンリンク共有チャネル（ＰＤＳＣＨ）と、物理マルチキャストチャネル（ＰＭＣＨ）と、物理ダウンリンク制御チャネル（ＰＤＣＣＨ）と、リレー物理ダウンリンク制御チャネル（Ｒ−ＰＤＣＣＨ）と、物理ブロードキャストチャネル（ＰＢＣＨ）と、物理制御フォーマットインジケータチャネル（ＰＣＦＩＣＨ）と、物理ハイブリッド自動再送要求指示チャネル（ＰＨＩＣＨ）とを含む。さらに、ＬＴＥ  ＰＨＹダウンリンクは、様々な参照信号と、同期信号と、発見信号とを含む。
【００１７】
例示的なＬＴＥ  ＦＤＤアップリンク（ＵＬ）無線フレームは、図３に示されている例示的なＦＤＤ  ＤＬ無線フレームと同様の様式で設定され得る。たとえば、上記のＤＬ説明に従う専門用語を使用すると、各ＵＬスロットは、ＮＵＬｓｙｍｂ個のＯＦＤＭシンボルからなり、ＮＵＬｓｙｍｂ個のＯＦＤＭシンボルの各々は、Ｎｓｃ個のＯＦＤＭサブキャリアを含む。
【００１８】
ＬＴＥ  ＰＨＹによって搬送されるアップリンク（すなわち、ＵＥからｅＮＢへの）物理チャネルは、物理アップリンク共有チャネル（ＰＵＳＣＨ）と、物理アップリンク制御チャネル（ＰＵＣＣＨ）と、物理ランダムアクセスチャネル（ＰＲＡＣＨ）とを含む。さらに、ＬＴＥ  ＰＨＹアップリンクは、関連するＰＵＣＣＨまたはＰＵＳＣＨの受信においてｅＮＢを助けるために送信される復調用参照信号（ＤＭ−ＲＳ）と、アップリンクチャネルに関連しないサウンディング参照信号（ＳＲＳ）とを含む、様々な参照信号を含む。
【００１９】
ＰＤＣＣＨとＰＵＣＣＨの両方が、１つまたは複数の連続する制御チャネルエレメント（ＣＣＥ）のアグリゲーション上で送信され得、ＣＣＥは、リソースエレメントグループ（ＲＥＧ）に基づいて物理リソースにマッピングされ、ＲＥＧの各々は複数のＲＥを備える。たとえば、ＣＣＥは９つのＲＥＧを備えることができ、ＲＥＧの各々は４つのＲＥを備えることができる。
【００２０】
上記で説明されたように、ＬＴＥ  ＰＨＹは、様々なＤＬ物理チャネルおよびＵＬ物理チャネルを、それぞれ図３Ａおよび図３Ｂに示されているリソースにマッピングする。たとえば、ＰＨＩＣＨは、ＵＥによるＵＬ送信についてのＨＡＲＱフィードバック（たとえば、ＡＣＫ／ＮＡＫ）を搬送する。同様に、ＰＤＣＣＨは、スケジューリング割り振りと、ＵＬチャネルについてのチャネル品質フィードバック（たとえば、ＣＳＩ）と、他の制御情報とを搬送する。同様に、ＰＵＣＣＨは、スケジューリング要求などのアップリンク制御情報と、ダウンリンクチャネルについてのＣＳＩと、ｅＮＢ  ＤＬ送信についてのＨＡＲＱフィードバックと、他の制御情報とを搬送する。ＰＤＣＣＨとＰＵＣＣＨの両方が、１つまたは複数の連続する制御チャネルエレメント（ＣＣＥ）のアグリゲーション上で送信され得、ＣＣＥは、リソースエレメントグループ（ＲＥＧ）に基づいて物理リソースにマッピングされ、ＲＥＧの各々は複数のＲＥを備える。たとえば、ＣＣＥは９つのＲＥＧを備えることができ、ＲＥＧの各々は４つのＲＥを備えることができる。
【００２１】
ＬＴＥでは、ＵＥの２つの主要な状態が、ＲＲＣアイドルおよびＲＲＣ接続である。ＲＲＣアイドル状態では、ＵＥはどのセルにも属さず、ＵＥのためにＲＲＣコンテキストが確立されず、ＵＥはｅＮＢとＵＬ同期外れである。したがって、ＲＡＣＨのみが、ＵＥ  ＵＬデータ送信のために利用可能である。さらに、ＲＲＣアイドルでは、ＵＥは、間欠受信（ＤＲＸ）サイクルに従って、ページングチャネル（ＰＣＨ）を監視する。
【００２２】
ＵＥをＲＲＣアイドルからＲＲＣ接続状態に移動するために、ＵＥは、ランダムアクセス（ＲＡ）プロシージャを実施しなければならない。ＲＲＣ接続状態では、ＵＥが属するセルが知られており、ＲＲＣコンテキストが確立されている。したがって、通信のための必要なパラメータが、ＵＥとｅＮＢの両方に知られている。たとえば、セル無線ネットワーク一時識別子（Ｃ−ＲＮＴＩ）、すなわち、ＵＥとネットワークとの間のシグナリングのために使用されるＵＥ識別情報が設定されている。
【００２３】
ＬＴＥでは、性能の改善を容易にするために、データ受信機（たとえば、ＵＥ）が、知られている送信されたデータシンボル（たとえば、パイロットシンボルおよび／または参照シンボル）の振幅および位相を測定し、これらの測定を「チャネル状態情報」（ＣＳＩ）としてデータ送信機（たとえば、ｅＮＢ）に送ることができる。ＣＳＩは、たとえば、１つまたは複数の周波数におけるチャネルの振幅および／または位相、チャネルを介した信号の時間ドメインマルチパス成分の振幅および／または位相、チャネルを介した信号のマルチパス成分の到着方向、および当業者によって知られている他の直接チャネル測定を含むことができる。代替または追加として、ＣＳＩは、１つまたは複数のチャネル測定に基づいてチャネルのために推奨される送信パラメータのセットを含むことができる。
【００２４】
リリース１３では、３ＧＰＰは、狭帯域モノのインターネット（ＮＢ−ＩｏＴ）およびＬＴＥマシン型通信（ＬＴＥ−ＭまたはＬＴＥ−ＭＴＣ）についての仕様を開発した。これらの新無線アクセス技術は、低いシステム複雑さおよび最適化されたデバイス電力消費と組み合わせて、信頼できる屋内カバレッジおよび高い容量などの品質を要求するサービスおよびアプリケーションへのコネクティビティを提供する。最も極端な状況において、信頼できるカバレッジをサポートするために、ＮＢ−ＩｏＴ  ＵＥとＬＴＥ−Ｍ  ＵＥの両方が、サブフレームバンドリングおよび繰返しを使用して、すべての物理チャネル上でリンク適応を実施することができる。これは、ＤＬでは（Ｎ／Ｍ）ＰＤＣＣＨと（Ｎ）ＰＤＳＣＨとに適用され、ＵＬでは（Ｎ）ＰＵＳＣＨと、（Ｎ）ＰＲＡＣＨと、（ＬＴＥ−Ｍについてのみ）ＰＵＣＣＨとに適用される。
【００２５】
ＬＴＥ−Ｍは、まとめてＢＬ／ＣＥ  ＵＥとして知られる、帯域幅低減、低複雑度（ＢＬ）ＵＥとカバレッジ拡張（ＣＥ）におけるＵＥとを含む。これらのＵＥは、繰返しなしまたは少数の繰返しのために最適化されるカバレッジ拡張モードＡ（ＣＥｍｏｄｅＡ）において、または、大きいカバレッジ拡張を提供する、中程度〜多数の繰返しのために最適化されるカバレッジ拡張モードＢ（ＣＥｍｏｄｅＢ）において動作することができる。より詳細には、ＣＥｍｏｄｅＡは、ＰＲＡＣＨ  ＣＥレベル０および１を含むが、ＣＥｍｏｄｅＢは、ＰＲＡＣＨ  ＣＥレベル２および３を含む。
【００２６】
現在、ＣＳＩ報告は、３ＧＰＰ  ＴＳ３６．２１３（Ｖ１５．２．０）セクション７．２において与えられるプロシージャを使用して、ＣＥｍｏｄｅＡにおけるＬＴＥ−Ｍ  ＵＥについてＲＲＣ接続モードにおいてのみサポートされる。ＣＥｍｏｄｅＢで設定されたＢＬ／ＣＥ  ＵＥは、非周期的ＣＳＩ報告または周期的ＣＳＩ報告のいずれかで設定されることを期待されない。これは、ＬＴＥ−ＭネットワークおよびＵＥの展開において、様々な問題、問題点、および／または困難をもたらすことがある。
【発明の概要】
【００２７】
本明細書で開示される例示的な実施形態は、ユーザ機器（ＵＥ）が動作するように設定された特定のカバレッジ拡張（ＣＥ）モードにかかわらず、ＵＥが、ランダムアクセスプロシージャ中にダウンリンク（ＤＬ）チャネル品質（たとえば、ＣＳＩ）を報告することを可能にするための、フレキシブルおよび効率的な手法を提供することによって、既存のソリューションのこれらおよび他の問題、問題点、および／または欠点に対処する。同様の様式で、例示的な実施形態は、ネットワークノードが、そのような情報を要求し、この情報を、ＵＥへのＤＬデータ送信の適時の、正確な、および効率的な実施のために利用することをも可能にする。さらに、そのような適時の、正確な、および効率的な動作は、ＲＡＮにおける様々なセル間のＵＥのモビリティの改善を容易にし、モビリティ中のデータ送信のレイテンシを低減する。
【００２８】
例示的な実施形態は、無線アクセスネットワーク（ＲＡＮ）におけるネットワークノードによって提供されるセルにおけるランダムアクセス（ＲＡ）プロシージャ中にダウンリンク（ＤＬ）チャネル品質報告を提供するための様々な方法および／またはプロシージャを含む。例示的な方法および／またはプロシージャは、たとえば、セルにおいてカバレッジ拡張（ＣＥ）モードにおいて動作するように設定されたユーザ機器（ＵＥ、たとえば、無線デバイス、ＩｏＴデバイス、ＭＴＣデバイスなど、またはそれらの構成要素）によって実装され得る。
【００２９】
例示的な方法および／またはプロシージャは、ネットワークノードから、ＵＥがＲＡプロシージャの特定のメッセージ中でＤＬチャネル品質を報告しなければならないことがあることを示す第１のインジケータを受信することを含むことができる。いくつかの実施形態では、ＲＡＮはＬｏｎｇ−Ｔｅｒｍ  Ｅｖｏｌｕｔｉｏｎ（ＬＴＥ）ネットワークであり得、特定のメッセージはＬＴＥ  ＲＡプロシージャのＭｓｇ３であり得る。様々な実施形態では、第１のインジケータは、ネットワークノードによってブロードキャストされたシステム情報中で、またはネットワークノードからのＲＡ応答中で受信され得る。
【００３０】
例示的な方法および／またはプロシージャは、ＲＡプロシージャを開始することをも含むことができる。いくつかの実施形態では、例示的な方法および／またはプロシージャは、第１のインジケータに基づいてＤＬチャネル品質測定を開始することをも含むことができる。いくつかの実施形態では、例示的な方法および／またはプロシージャは、ネットワークノードからＲＡ応答を受信することをも含むことができる。いくつかの実施形態では、ＤＬチャネル品質測定は、ＲＡプロシージャを開始した後に、ただしＲＡ応答を受信する前に、開始され得る。
【００３１】
いくつかの実施形態では、例示的な方法および／またはプロシージャは、第１のインジケータと、ＲＡ応答のコンテンツとのうちの少なくとも１つに基づいて、特定のメッセージ中にＤＬチャネル品質報告を含めるべきかどうかを決定することをも含むことができる。いくつかの実施形態では、例示的な方法および／またはプロシージャは、ネットワークノードに特定のメッセージを送信することであって、特定のメッセージが、ＤＬチャネル品質報告を条件付きで含む、特定のメッセージを送信することをも含むことができる。
【００３２】
他の例示的な実施形態は、ランダムアクセス（ＲＡ）プロシージャを実施するユーザ機器（ＵＥ）からのダウンリンク（ＤＬ）チャネル品質報告を可能にするための方法および／またはプロシージャを含む。例示的な方法および／またはプロシージャは、たとえば、無線アクセスネットワーク（ＲＡＮ）におけるセルを提供するように設定されたネットワークノード（たとえば、ｅＮＢ、ｇＮＢ、ｎｇ−ｅＮＢ、またはそれらの構成要素）によって実装され得る。
【００３３】
これらの例示的な方法および／またはプロシージャは、ＵＥがＲＡプロシージャの特定のメッセージ中でＤＬチャネル品質を報告しなければならないことがあることを示す第１のインジケータを送信することを含むことができる。いくつかの実施形態では、ＵＥのうちの１つまたは複数は、カバレッジ拡張（ＣＥ）モードにおいて動作するように設定され得る。いくつかの実施形態では、ＲＡＮはＬｏｎｇ−Ｔｅｒｍ  Ｅｖｏｌｕｔｉｏｎ（ＬＴＥ）ネットワークであり得、特定のメッセージはＬＴＥ  ＲＡプロシージャのＭｓｇ３であり得る。様々な実施形態では、第１のインジケータは、ネットワークノードによってブロードキャストされたシステム情報中で、またはＲＡ応答中で送信され得る。
【００３４】
例示的な方法および／またはプロシージャは、（たとえば、ＵＥによって送信された１つまたは複数のＲＡプリアンブルを検出することによって）特定のＵＥがセルにおいてＲＡプロシージャを開始したと決定することをも含むことができる。いくつかの実施形態では、例示的な方法および／またはプロシージャは、ＵＥにＲＡ応答を送信することをも含むことができる。いくつかの実施形態では、例示的な方法および／またはプロシージャは、特定のＵＥから特定のメッセージを受信することであって、特定のメッセージが、ＤＬチャネル品質報告を条件付きで含む、特定のメッセージを受信することをも含むことができる。ＤＬチャネル品質報告が含まれる条件は、第１のインジケータと、ＲＡ応答のコンテンツとのうちの少なくとも１つに基づき得る。
【００３５】
他の例示的な実施形態は、本明細書で説明される例示的な方法および／またはプロシージャに対応する動作を実施するように設定されたＵＥ（たとえば、無線デバイス、ＩｏＴデバイス、ＭＴＣデバイスなど、またはそれらの（１つまたは複数の）構成要素）またはネットワークノード（たとえば、基地局、ｅＮＢ、ｇＮＢ、ｎｇ−ｅＮＢなど、またはそれらの（１つまたは複数の）構成要素）を含む。他の例示的な実施形態は、少なくとも１つのプロセッサによって実行されたとき、そのようなネットワークデバイスまたはユーザ機器を、本明細書で説明される例示的な方法および／またはプロシージャに対応する動作を実施するように設定するプログラム命令を記憶する非一時的コンピュータ可読媒体を含む。
【００３６】
本開示の例示的な実施形態のこれらおよび他の目的、特徴および利点は、以下で手短に説明される図面に鑑みて以下の発明を実施するための形態を読むと明らかになろう。
【図面の簡単な説明】
【００３７】
【図１】３ＧＰＰによって規格化されたようなＬｏｎｇ−Ｔｅｒｍ  Ｅｖｏｌｕｔｉｏｎ（ＬＴＥ）拡張ＵＴＲＡＮ（Ｅ−ＵＴＲＡＮ）およびエボルブドパケットコア（ＥＰＣ）ネットワークの例示的なアーキテクチャの高レベルブロック図である。
【図２Ａ】Ｅ−ＵＴＲＡＮアーキテクチャの成分構成要素、プロトコル、およびインターフェースに関する例示的なＥ−ＵＴＲＡＮアーキテクチャの高レベルブロック図である。
【図２Ｂ】ユーザ機器（ＵＥ）とＥ−ＵＴＲＡＮとの間の無線（Ｕｕ）インターフェースの制御プレーン部分の例示的なプロトコルレイヤのブロック図である。
【図２Ｃ】ＰＨＹレイヤの観点からの例示的なＬＴＥ無線インターフェースプロトコルアーキテクチャのブロック図である。
【図３】周波数分割複信（ＦＤＤ）動作のために使用される、例示的なダウンリンクＬＴＥ無線フレーム構造のブロック図である。
【図４】ＵＥによって開始された例示的なＬＴＥランダムアクセス（ＲＡ）プロシージャを含む、いくつかの動作を示す図である。
【図５Ａ】早期データ送信（ＥＤＴ：early data transmission）なしの場合の、ＢＬ／ＣＥ  ＵＥのための例示的なＲＡ応答グラントフォーマット／コンテンツを示す図である。
【図５Ｂ】早期データ送信（ＥＤＴ）の場合の、ＢＬ／ＣＥ  ＵＥのための例示的なＲＡ応答グラントフォーマット／コンテンツを示す図である。
【図６Ａ】ＣＥｍｏｄｅＡにおけるＢＬ／ＣＥ  ＵＥのための例示的なＭＡＣ  ＲＡＲメッセージフィールドの規定を示す図である。
【図６Ｂ】ＣＥｍｏｄｅＢにおけるＢＬ／ＣＥ  ＵＥのための例示的なＭＡＣ  ＲＡＲメッセージフィールドの規定を示す図である。
【図７Ａ】ＥＤＴなしの場合の、ＣＥｍｏｄｅＡにおける例示的なＭｓｇ３トランスポートブロックサイズ（ＴＢＳ）表を示す図である。
【図７Ｂ】ＥＤＴなしの場合の、ＣＥｍｏｄｅＢにおける例示的なＭｓｇ３トランスポートブロックサイズ（ＴＢＳ）表を示す図である。
【図８】本開示の様々な例示的な実施形態による、ユーザ機器（ＵＥ、たとえば、無線デバイス、ＩｏＴデバイス、ＭＴＣデバイスなど、またはそれらの（１つまたは複数の）構成要素）によって実施される、例示的な方法および／またはプロシージャを示す流れ図である。
【図９】本開示の様々な例示的な実施形態による、ネットワークノード（たとえば、基地局、ｅＮＢ、ｇＮＢ、ｎｇ−ｅＮＢなど、またはそれらの（１つまたは複数の）構成要素）によって実施される、例示的な方法および／またはプロシージャを示す流れ図である。
【図１０】本開示の様々な例示的な実施形態による、無線ネットワークの例示的な実施形態を示す図である。
【図１１】本開示の様々な例示的な実施形態による、ＵＥの例示的な実施形態を示すブロック図である。
【図１２】本明細書で説明されるネットワークノードの様々な実施形態の実装のために使用可能な例示的な仮想化環境を示すブロック図である。
【図１３】本開示の様々な例示的な実施形態による、様々な例示的な通信システムおよび／またはネットワークのブロック図である。
【図１４】本開示の様々な例示的な実施形態による、様々な例示的な通信システムおよび／またはネットワークのブロック図である。
【図１５】本開示の様々な例示的な実施形態による、通信システムにおいて実装される様々な例示的な方法および／またはプロシージャを示す流れ図である。
【図１６】本開示の様々な例示的な実施形態による、通信システムにおいて実装される様々な例示的な方法および／またはプロシージャを示す流れ図である。
【図１７】本開示の様々な例示的な実施形態による、通信システムにおいて実装される様々な例示的な方法および／またはプロシージャを示す流れ図である。
【図１８】本開示の様々な例示的な実施形態による、通信システムにおいて実装される様々な例示的な方法および／またはプロシージャを示す流れ図である。
【発明を実施するための形態】
【００３８】
添付の図面を参照しながら、次に、本明細書で企図される実施形態のうちのいくつかがより十分に説明される。しかしながら、他の実施形態は、本明細書で開示される主題の範囲内に含まれており、開示される主題は、本明細書に記載される実施形態のみに限定されるものとして解釈されるべきではなく、むしろ、これらの実施形態は、当業者に主題の範囲を伝達するために、例として提供される。さらに、以下の用語が、以下で与えられる説明全体にわたって使用される。
・  無線ノード：本明細書で使用される「無線ノード」は、「無線アクセスノード」または「無線デバイス」のいずれかであり得る。
・  無線アクセスノード：本明細書で使用される「無線アクセスノード」（または「無線ネットワークノード」）は、信号を無線で送信および／または受信するように動作する、セルラ通信ネットワークの無線アクセスネットワーク（ＲＡＮ）における任意のノードであり得る。無線アクセスノードのいくつかの例は、限定はしないが、基地局（たとえば、３ＧＰＰ第５世代（５Ｇ）ＮＲネットワークにおける新無線（Ｎｅｗ  Ｒａｄｉｏ：ＮＲ）基地局（ｇＮＢ）、あるいは３ＧＰＰ  ＬＴＥネットワークにおける拡張またはエボルブドノードＢ（ｅＮＢ））と、高電力またはマクロ基地局と、低電力基地局（たとえば、マイクロ基地局、ピコ基地局、ホームｅＮＢなど）と、リレーノードとを含む。
・  コアネットワークノード：本明細書で使用される「コアネットワークノード」は、コアネットワークにおける任意のタイプのノードである。コアネットワークノードのいくつかの例は、たとえば、モビリティ管理エンティティ（ＭＭＥ）、パケットデータネットワークゲートウェイ（Ｐ−ＧＷ）、サービス能力公開機能（ＳＣＥＦ）などを含む。
・  無線デバイス：本明細書で使用される「無線デバイス」（または略して「ＷＤ」）は、ネットワークノードおよび／または他の無線デバイスと無線で通信することによって、セルラ通信ネットワークへのアクセスを有する（すなわち、セルラ通信ネットワークによってサーブされる）任意のタイプのデバイスである。別段に記載されていない限り、「無線デバイス」という用語は、本明細書では「ユーザ機器」（または略して「ＵＥ」）と互換的に使用される。無線デバイスのいくつかの例は、限定はしないが、３ＧＰＰネットワークにおけるＵＥと、マシン型通信（ＭＴＣ）デバイスとを含む。無線で通信することは、空中で情報を伝達するのに好適な、電磁波、電波、赤外波、および／または他のタイプの信号を使用して無線信号を送信および／または受信することを伴うことができる。
・  ネットワークノード：本明細書で使用される「ネットワークノード」は、セルラ通信ネットワークの無線アクセスネットワークまたはコアネットワークのいずれかの一部である任意のノードである。機能的に、ネットワークノードは、無線デバイスと、ならびに／あるいは、無線デバイスへの無線アクセスを可能にし、および／または提供するための、および／または、セルラ通信ネットワークにおいて他の機能（たとえば、アドミニストレーション）を実施するための、セルラ通信ネットワーク中の他のネットワークノードまたは機器と、直接または間接的に通信することが可能な、そうするように設定された、構成された、および／または動作可能な機器である。
【００３９】
本明細書で与えられる説明は３ＧＰＰセルラ通信システムに焦点を当て、したがって、３ＧＰＰ専門用語または３ＧＰＰ専門用語に類似した専門用語がしばしば使用されることに留意されたい。しかしながら、本明細書で開示される概念は、３ＧＰＰシステムに限定されない。さらに、「セル」という用語が本明細書で使用されるが、（特に５Ｇ  ＮＲに関して）セルの代わりにビームが使用され得、したがって、本明細書で説明される概念がセルとビームの両方に等しく適用されることを理解されたい。
【００４０】
手短に上述されたように、ＵＥは、ＲＲＣアイドルからＲＲＣ接続状態に移動するために、ランダムアクセス（ＲＡ）プロシージャを実施しなければならない。図４は、例示的なＬＴＥ  ＲＡプロシージャにおけるステップを示す。ステップ１において、ＵＥは、ブロードキャストチャネルを通してネットワークによって送信された、プリアンブルの知られているセットから１つのアクセスプリアンブルをランダムに選択する。目的は、コード領域においてプリアンブルを分離することによって衝突を回避することである。ＬＴＥでは、一般に、各セルにおいて６４個の異なる利用可能なプリアンブルがあり、それらのプリアンブルは、複数のグループに分割され得る。グルーピングは、ＵＥが、ＵＥが小さいメッセージ（データパッケージ）のための無線リソースを必要とするのか、大きいメッセージ（データパッケージ）のための無線リソースを必要とするのかを１ビットでシグナリングすることを可能にする。すなわち、あるグループからのランダムに選択されたプリアンブルは、ＵＥが、送るべき少量のデータを有することを示すことができ、別のグループから選択されたプリアンブルは、より大量のデータのためのリソースが必要とされることを示す。
【００４１】
ＵＥは、ブロードキャストチャネルを介してすべてのＵＥに知らされる、いくつかのＵＬ時間／周波数リソース上でのみＲＡプリアンブルを送信する。ｅＮＢは、これらのリソースにおいてＵＥによって送信される、すべての衝突しないプリアンブルを検出し、各ＵＥについてラウンドトリップタイム（ＲＴＴ）を推定する。ＲＴＴは、ＬＴＥ  ＯＦＤＭベースシステムにおいて、ＵＥのために、ＤＬとＵＬの両方における時間および周波数同期を達成するために必要とされる。
【００４２】
ステップ２において、ｅＮＢからＵＥへのＲＡ応答（ＲＡＲ）が、ステップ３において使用するために、ＲＴＴと、一時ＵＥ識別情報と、ＵＬリソースとを搬送する。上述のように、ＵＥは、ＵＬ同期を取得するために、受信されたＲＴＴを使用してＵＥの送信ウィンドウを調節することができる。ＲＡＲは、ＤＬ共有チャネル（たとえば、ＰＤＳＣＨ）上でスケジュールされ、ＲＡＲのために予約された識別情報を使用して、ＤＬ制御チャネル（たとえば、ＰＤＣＣＨ）上で示される。ＲＡプリアンブルを送信したすべてのＵＥが、ＵＥのプリアンブル送信の後に、時間ウィンドウ内にＲＡＲについてＤＬ制御チャネルを監視する。ＵＥが時間ウィンドウ内にＲＡＲを検出しなかった場合、ＵＥは、試みの失敗を宣言し、増加された送信電力を使用してステップ１を繰り返す。
【００４３】
ステップ３において使用されるべき、受信されたＵＬリソース割り振りは、本質的に、どのサブフレーム（時間）において送信すべきか、および、どんなリソースブロック（周波数）を使用すべきかをＵＥに正確に知らせる（たとえば、ＵＬ時間／周波数リソースグリッド上のあるロケーションへの）ポインタである。上位レイヤは、３ＧＰＰ  ＴＳ３６．３２１および３６．２１３において規定されているように、ＰＨＹに２０ビットＵＬグラントを示す。ＬＴＥ  ＰＨＹでは、これはＲＡＲグラントと呼ばれ、ダウンリンク制御情報（ＤＣＩ）の特定のフォーマットによってＰＤＣＣＨ上で搬送される。ＲＡＲグラントサイズは、リソース割り振りを伝達するためのビット数を最小限に抑えることと、一方で、ｅＮＢスケジューラに、いくらかのリソース割り振りフレキシビリティを提供することとの間でバランスをとることが意図される。概して、ＰＨＹメッセージの長さは、システム帯域幅に依存する。
【００４４】
ステップ３において、ステップ２においてＲＡＲを正しく受信すると、ＵＥはｅＮＢと時間同期される。何らかの送信が行われ得る前に、一意の識別情報Ｃ−ＲＮＴＩが割り振られる。（「メッセージ３」または略して「ｍｓｇ３」と呼ばれる）このステップにおけるＵＥ送信は、ステップ２において割り振られたＵＬチャネル無線リソースを使用する。また、図４において破線で描かれた矢印によって示されているように、ＵＥ状態に応じて追加のメッセージ交換も必要とされ得る。特に、ＵＥがｅＮＢにおいて知られていない場合、何らかのシグナリングが、ｅＮＢとコアネットワークとの間で必要とされる。ステップ４は、主に競合解消に関係し、本明細書ではさらに説明されない。
【００４５】
ＬＴＥのためのＲｅｌ−１６  ＭＴＣ拡張のワークアイテム説明（ＷＩＤ）では、目的のうちの１つが、以下を指定することによって、ＤＬ送信効率および／またはＵＥ電力消費を改善することである。
・  モバイル着信（ＭＴ）早期データ送信（ＥＤＴ：Early Data Transmission）のサポート、
・  少なくともＥＤＴのための、ＭＳＧ３における品質報告、
・  少なくとも接続モードにおける、ＣＲＳを使用することによるＭＰＤＣＣＨ性能改善、
・  ＵＥグループ起動信号（ＷＵＳ）のサポート。
【００４６】
ＬＴＥ−ＭＴＣ（ＬＴＥ−Ｍ）では、チャネル状態情報（ＣＳＩ）報告が、接続モードにおいて、ＣＥＭｏｄｅＡにおいてはサポートされるが、ＣＥＭｏｄｅＢにおいてはサポートされない。周期的ＣＳＩ報告の場合、ＰＵＣＣＨが使用される。非周期的ＣＳＩ報告の場合、３ＧＰＰ  ＴＳ３６．２１３（ｖ１５．２．０）セクション７．２．１に従って、ＰＵＳＣＨが使用され、３ＧＰＰ  ＴＳ３６．２１３（ｖ１５．２．０）セクション７．２．１は、それぞれのＣＳＩ要求フィールドが、報告をトリガするようにセットされ、予約されない場合、ＢＬ／ＣＥ  ＵＥが、サービングセルのためにアップリンクＤＣＩフォーマットまたはＲＡＲグラントのいずれかを復号すると、ＰＵＳＣＨを使用して非周期的ＣＳＩ報告を実施するものとすることを指定する。ＵＬ  ＤＣＩフォーマットによってトリガされる対応する非周期的ＣＳＩ報告を搬送するＰＵＳＣＨが送信される、（１つまたは複数の）サブフレームが、３ＧＰＰ  ＴＳ３６．２１３（ｖ１５．２．０）セクション８．０に従って決定される。
【００４７】
図５Ａは、ＥＤＴなしの場合の、ＢＬ／ＣＥ  ＵＥのための例示的なＲＡＲグラントフォーマット／コンテンツ（ＣＥｍｏｄｅＡおよびＣＥｍｏｄｅＢ）を示す。同様に、図５Ｂは、ＥＤＴの場合の、ＢＬ／ＣＥ  ＵＥのための例示的なＲＡＲグラントフォーマット／コンテンツを示す。これらの図中の各フィールドの詳細な説明は、３ＧＰＰ  ＴＳ３６．２１３（ｖ．１５．２．０）セクション６．２において与えられる。どちらの場合も、ｅＮＢがＵＥにＣＳＩを報告するように要求することができる、ＣＥｍｏｄｅＡにおける１ビットＣＳＩ要求フィールドがある。しかしながら、競合ベースランダムアクセス（ＲＡ）プロシージャでは、ＣＳＩ要求フィールドは予約される（すなわち、このフィールドのいかなる値も、ＵＥがアクションを実施することを引き起こさない）。
【００４８】
Ｍｓｇ３／４  ＭＰＤＣＣＨ狭帯域インデックスは、３ＧＰＰ  ＴＳ３６．２１３（ｖ１５．２．０）表６．２−Ｂにおいて与えられるように、ランダムアクセスプロシージャ中に一時Ｃ−ＲＮＴＩおよび／またはＣ−ＲＮＴＩによって設定されたＭＰＤＣＣＨの第１のサブフレームのために使用される（たとえば、周波数領域における）狭帯域を示す。図６Ａおよび図６Ｂは、それぞれ、ＣＥｍｏｄｅＡにおけるＢＬ／ＣＥ  ＵＥのためのＭＡＣ  ＲＡＲメッセージフィールドの規定、およびＣＥｍｏｄｅＢにおけるＢＬ／ＣＥ  ＵＥのためのＭＡＣ  ＲＡＲメッセージフィールドの規定を示す。これらのフィールドは、以下のようにさらに指定される。
・  Ｒ：「０」にセットされた予約済みビット。ＢＬ  ＵＥまたはＣＥにおけるＵＥについて、このビットは、ランダムアクセス応答におけるＵＬグラントがＥＤＴのためのものであることを示すために、「１」にセットされる。
・  タイミングアドバンスコマンド：タイミングアドバンスコマンドフィールドは、ＭＡＣエンティティが適用しなければならないタイミング調整の量を制御するために使用される、インデックス値ＴＡ（０、１、２．．．１２８２）を示す（［２］のサブクローズ４．２．３を参照）。タイミングアドバンスコマンドフィールドのサイズは１１ビットである。
・  ＵＬグラント：アップリンクグラントフィールドは、アップリンク上で使用されるべきリソースを示す。このフィールドの例示的なコンテンツは、図５Ａおよび図５Ｂに示されている。一例として、ＵＬグラントのサイズは、（図６Ａに示されているように）ＢＬ／ＣＥ  ＵＥ  ＣＥｍｏｄｅＡの場合、２０ビットであり、（図６Ｂに示されているように）ＣＥｍｏｄｅＢにおけるＢＬ／ＣＥ  ＵＥの場合、１２ビットである。図６には示されていないが、ＵＬグラントフィールドのサイズは、ＮＢ−ＩｏＴ  ＵＥの場合、１５ビットである。
・  一時Ｃ−ＲＮＴＩ：一時Ｃ−ＲＮＴＩフィールドは、ランダムアクセス中にＭＡＣエンティティによって使用される一時識別情報を示す。このフィールドのサイズは１６ビットである。
【００４９】
図７Ａおよび図７Ｂは、早期データ送信（ＥＤＴ）が設定されていないと仮定する、それぞれ、ＣＥｍｏｄｅＡにおけるＭｓｇ３トランスポートブロックサイズ（ＴＢＳ）表、およびＣＥｍｏｄｅＢにおけるＭｓｇ３  ＴＢＳ表を示す。ＥＤＴが設定される場合、ＵＥは、ＣＥｍｏｄｅＡにおいては、Ｍｓｇ３中で最高１０００ビットを送ることができ、ＣＥｍｏｄｅＢにおいては、Ｍｓｇ３中で最高９３６ビットを送ることができる。
【００５０】
上記で説明されたように、現在、ＣＳＩ報告は、３ＧＰＰ  ＴＳ３６．２１３（ｖ１５．２．０）セクション７．２において与えられるプロシージャを使用して、ＣＥｍｏｄｅＡにおけるＬＴＥ−Ｍ  ＵＥについてＲＲＣ接続モードにおいてのみサポートされる。ＣＥｍｏｄｅＢで設定されたＢＬ／ＣＥ  ＵＥは、非周期的ＣＳＩ報告または周期的ＣＳＩ報告のいずれかで設定されることを期待されない。たとえば、ＣＥｍｏｄｅＢのためのＲＡＲグラントは、ＣＥｍｏｄｅＢにおけるＵＥに関連する極端なカバレッジ条件に鑑みて、メッセージサイズをできるだけ小さく保つ必要により、ＣＳＩ要求フィールドを含まない。
【００５１】
また、ＲＡＲグラントコンテンツは、図６Ａおよび図６Ｂに示されているように、バイト整合（またはオクテット整合）される必要があるので、ＲＡＲグラントＤＣＩに１つの余分のビットを追加することは、メッセージが単に１ビット増大するのではなく、１バイト増大することを引き起こす。ＣＥｍｏｄｅＢについて、メッセージサイズを小さく保つ必要があるとすれば、これは魅力的なソリューションでない。
【００５２】
たとえそうでも、Ｍｓｇ３中のチャネル品質報告について、ネットワークが、後のステップにおけるスケジューリングを容易にするために、ＤＬチャネル品質に関するいくらかの情報を有することは有益であり得る。しかしながら、ＵＥは、チャネル品質関係測定を実施し、その測定を必要とされるフォーマットに変換するための時間を必要とする。ｅＮＢが、ＵＥが測定を実施するための十分な時間を与えることなしに、ＲＡＲにおいてチャネル品質を報告するようにＵＥに要求する場合、報告されたチャネル品質測定は、それらがｅＮＢにとって有用でないことがあるほど不十分な品質のものであり得る。言い換えれば、少なくとも十分なカバレッジにおけるＵＥに対して、不良なカバレッジにおけるＵＥは、ｅＮＢがＲＡプロシージャの後の動作をスケジュールするのを助けるために十分な品質の測定を生成するための追加の時間を必要とすることがある。
【００５３】
本開示の例示的な実施形態は、ユーザ機器（ＵＥ、たとえば、ＬＴＥ−Ｍ  ＵＥ）が、たとえば、Ｍｓｇ３中でＲＡプロシージャ中にチャネル品質を測定および報告するためのフレキシブル機構を提供することによって、従来のソリューションのこれらおよび他の問題ならびに／または短所に対処する。さらに、これらの例示的な実施形態はまた、必要とされるシグナリング帯域幅の量を低減および／または最小化する、チャネル品質を報告するための効率的なフォーマットを提供する。
【００５４】
いくつかの実施形態では、セルをサーブするネットワークノード（たとえば、ｅＮＢ）は、ブロードキャストシステム情報（ＳＩ）において、（１つまたは複数の）ＵＥがランダムアクセスを開始した後に、サービングｅＮＢが、そのＵＥに、Ｍｓｇ３中でダウンリンクチャネル品質を報告するように要求し得ることを示すことができる。そのようなブロードキャストＳＩを受信したＵＥは、次いで、ｅＮＢが、たとえば、ＲＡＲメッセージ中で要求を行った後の妥当な時間内に、ＣＳＩ報告を提供するように準備され得る。たとえば、ＵＥは、ＲＡＲメッセージ中の明示的ＣＳＩ要求を受信するより前に、チャネル品質測定を開始することができる。
【００５５】
いくつかの実施形態では、ｅＮＢは、ＣＳＩ報告のために使用されるべき、ＣＱＩテーブルおよび／または報告基準（たとえば、選択された狭帯域に基づくターゲットＢＬＥＲ測定）など、追加情報をブロードキャストＳＩ中に含めることができる。
【００５６】
他の実施形態では、ネットワークノードは、ＤＣＩにおいて、（たとえば、ＲＡＲグラントをスケジュールするＭＰＤＣＣＨにおいて、）ｅＮＢが、ある（１つまたは複数の）ＵＥがＭｓｇ３中でダウンリンクチャネル品質を報告するように準備されることを期待していることを示すことができる。
【００５７】
他の実施形態では、ネットワークノードは、（「Ｒ」と標示された）予約済みビットを使用して、（図６Ａおよび図６Ｂに示されている）ＭＡＣレイヤＲＡＲメッセージにおいて、ｅＮＢが、ある（１つまたは複数の）ＵＥがＭｓｇ３中でダウンリンクチャネル品質を報告するように準備されることを期待していることを示すことができる。ＥＤＴ対応ＵＥの場合、Ｒビットが、ＥＤＴの場合とＥＤＴなしの場合との間を区別するためにすでに使用されているので、これらの例示的な実施形態では、Ｒビットは二重の目的を果たすために再規定され得る。たとえば、１つのオプションは、ＥＤＴがトリガされたときに、ＵＥがＣＳＩを報告することを必須にすることである。別のオプションは、ＲＡＲグラントにおいてＣＳＩ要求ビットを使用することである。これは、図５Ａおよび図５Ｂに示されているように、ＣＳＩ要求ビットはＣＥｍｏｄｅＢにおいて利用可能でないので、ＣＥｍｏｄｅＡにのみ適用されることに留意されたい。
【００５８】
他の実施形態では、ネットワークノードは、ＥＤＴがセルにおいて設定される場合、ＵＥは、たとえば、ＲＡＲグラントにおいて別段に示されていない限り、デフォルトでＭｓｇ３中でダウンリンクチャネル品質を報告しなければならないことを示すことができる。代替的に、ネットワークノードは、ブロードキャストＳＩにおいて、ＥＤＴが有効にされるとき、Ｍｓｇ３チャネル品質報告が使用されるかどうかを（たとえば、特定のビットによって）示すことができる。したがって、これは、ＥＤＴの場合とＥＤＴなしの場合とについて、ＣＳＩ報告についての別個のおよび／または異なる設定を容易にする。
【００５９】
他の実施形態では、ＵＥは、（たとえば、ＲＡＲグラントにおいて、ＥＤＴの場合にはＳＩにおいて）ｅＮＢによって示された許容ＴＢサイズのセットから、ＵＥによって選択されたＴＢＳを、所与の値Ｘと比較した結果に基づいて、Ｍｓｇ３中でチャネル品質を報告するべきかどうかを決定することができる。Ｘの値は、上位レイヤシグナリング（たとえば、ＲＲＣ、ＳＩブロードキャスト）においてシグナリングされるか、またはあらかじめ決定（たとえば、規格において指定）され得る。たとえば、選択されたＴＢサイズがＸよりも大きい場合、または代替的に、選択されたＴＢサイズがＸよりも大きいかまたはそれに等しい場合、ＵＥは、Ｍｓｇ３中でチャネル品質を報告することを決定することができる。
【００６０】
他の実施形態では、ｅＮＢによって示された許容ＴＢサイズのセットからＵＥによって選択されたＴＢＳが、所与の値Ｙよりも大きいが、所与の値Ｚよりも小さい場合、ＵＥは、Ｍｓｇ３中で、１つまたは複数の特定の狭帯域（たとえば、６つのＰＲＢのうちの１つまたは複数のグループ）についてのＤＬチャネル品質を報告することを決定することができる。Ｙの値とＺの値とは、上位レイヤシグナリング（たとえば、ＲＲＣ、ＳＩブロードキャスト）においてシグナリングされるか、またはあらかじめ決定（たとえば、規格において指定）され得る。
【００６１】
他の実施形態（たとえば、ＣＳＩ要求ビットがＲＡＲグラントＤＣＩにおいて利用可能である、ＣＥｍｏｄｅＡ実施形態）では、ＲＡＲグラントにおいてｅＮＢによって示されたＣＳＩ要求が、Ｍｓｇ３中のＵＥのＤＬチャネル品質報告を一時的に有効または無効にすることができる。たとえば、ｅＮＢが、リソースを有しない、および／または、いくつかのＵＥにとってチャネル品質が必要であると考えない場合、ｅＮＢは、ＵＥが、Ｍｓｇ３送信のためにスケジュールされているＲＡＲグラントにおいて示されたＵＬリソースにおいてチャネル品質を報告する必要がないことを、ＲＡＲグラントにおいて示すことができる。
【００６２】
上記で手短に説明されたこれらの実施形態は、それぞれ、ＵＥによって実施される例示的な方法および／またはプロシージャ、およびネットワークノードによって実施される例示的な方法および／またはプロシージャを図示する、図８および図９を参照しながら、さらに説明され得る。言い換えると、以下で説明される動作の様々な特徴が、上記で手短に説明された様々な実施形態に対応する。
【００６３】
より詳細には、図８は、本開示の様々な例示的な実施形態による、無線アクセスネットワーク（ＲＡＮ）におけるネットワークノードによって提供されるセルにおけるランダムアクセス（ＲＡ）プロシージャ中にダウンリンク（ＤＬ）チャネル品質報告を提供するための例示的な方法および／またはプロシージャを示す流れ図である。例示的な方法および／またはプロシージャは、たとえば、セルにおいてカバレッジ拡張（ＣＥ）モードにおいて動作するように設定されたユーザ機器（ＵＥ、たとえば、無線デバイス、ＩｏＴデバイス、ＭＴＣデバイスなど、またはそれらの構成要素）によって実装され得る。さらに、図８に示されている例示的な方法および／またはプロシージャは、本明細書で説明される様々な例示的な利益を提供するために、本明細書（たとえば、図９）で説明される他の例示的な方法および／またはプロシージャと協働して利用され得る。図８は、特定の順序でブロックを示すが、この順序は例にすぎず、例示的な方法および／またはプロシージャの動作は、示されているのとは異なる順序で実施され得、示されているのとは異なる機能を有するブロックに組み合わせられ、および／または分割され得る。随意の動作が、破線によって示される。
【００６４】
図８に示されている例示的な方法および／またはプロシージャは、ブロック８１０の動作を含むことができ、ＵＥは、ネットワークノードから、ＵＥがＲＡプロシージャの特定のメッセージ中でＤＬチャネル品質を報告しなければならないことがあることを示す第１のインジケータを受信することができる。いくつかの実施形態では、ＲＡＮはＬｏｎｇ−Ｔｅｒｍ  Ｅｖｏｌｕｔｉｏｎ（ＬＴＥ）ネットワークであり、特定のメッセージはＬＴＥ  ＲＡプロシージャのＭｓｇ３である。いくつかの実施形態では、ＵＥは、特定のＣＥモード、たとえば、ＣＥｍｏｄｅＡまたはＣＥｍｏｄｅＢにおいて動作していることがある。いくつかの実施形態では、第１のインジケータは、ネットワークノードによってブロードキャストされたシステム情報中で受信され得る。いくつかの実施形態では、第１のインジケータは、ネットワークノードからのＲＡ応答中で受信され得る。
【００６５】
いくつかの実施形態では、例示的な方法および／またはプロシージャは、ブロック８２０の動作をも含むことができ、ＵＥは、セルにおいてブロードキャストされたシステム情報を介して、ネットワークノードが、特定のメッセージ中に早期データ送信（ＥＤＴ）を実施するようにセルにおいてＲＡプロシージャを実施するＵＥに要求し得るか否かを示す第３のインジケータを受信することができる。
【００６６】
例示的な方法および／またはプロシージャは、ブロック８３０の動作をも含むことができ、ＵＥは、ＲＡプロシージャを開始することができる。いくつかの実施形態では、例示的な方法および／またはプロシージャは、ブロック８４０の動作をも含むことができ、ＵＥは、第１のインジケータに基づいてＤＬチャネル品質測定を開始することができる。いくつかの実施形態では、例示的な方法および／またはプロシージャは、ブロック８５０の動作をも含むことができ、ＵＥは、ネットワークノードからＲＡ応答を受信することができる。いくつかの実施形態では、ＵＥは、ＲＡプロシージャを開始した（ブロック８３０）後に、ただしＲＡ応答を受信する（ブロック８５０）前に、ＤＬチャネル品質測定を開始する（ブロック８４０）ことができる。
【００６７】
いくつかの実施形態では、例示的な方法および／またはプロシージャは、ブロック８６０の動作をも含むことができ、ＵＥは、第１のインジケータと、ＲＡ応答のコンテンツとのうちの少なくとも１つに基づいて、特定のメッセージ中にＤＬチャネル品質報告を含めるべきかどうかを決定することができる。
【００６８】
いくつかの実施形態では、（ブロック８５０において受信された）ＲＡ応答は、特定のメッセージ中にＤＬチャネル品質を報告するようにとの要求を含むことができる。いくつかの実施形態では、ＲＡ応答は、特定のメッセージのためのリソースのアップリンク（ＵＬ）グラントを含むことができ、ＵＬグラントはトランスポートブロックサイズ（ＴＢＳ）を含む。そのような実施形態では、ブロック８６０の動作はサブブロック８６２の動作を含むことができ、ここで、ＵＥは、ＴＢＳがＤＬチャネル品質報告を搬送するのに十分に大きい、またはＴＢＳが所定のしきい値を上回る、のうちの１つに基づいて、ＤＬチャネル品質報告を含めることを決定することができる。
【００６９】
いくつかの実施形態では、ＲＡ応答は、ＵＥが特定のメッセージ中に早期データ送信（ＥＤＴ）を実施するべきであるか否かを示す第２のインジケータを含むことができる。そのような実施形態では、ブロック８６０の動作はサブブロック８６４の動作を含むことができ、ここで、ＵＥは、第２のインジケータが、ＵＥが特定のメッセージ中にＥＤＴを実施するべきであることを示すとき、ＤＬチャネル品質報告を含めることを決定することができる。
【００７０】
いくつかの実施形態では、例示的な方法および／またはプロシージャは、ブロック８７０の動作をも含むことができ、ＵＥは、ネットワークノードに特定のメッセージを送信することができ、特定のメッセージは、ＤＬチャネル品質報告を条件付きで含む。たとえば、ＵＥがＤＬチャネル品質報告を含む条件は、ブロック８６０および／またはブロック８６０のサブブロックにおいて決定され得る。
【００７１】
さらに、図９は、本開示の様々な例示的な実施形態による、ランダムアクセス（ＲＡ）プロシージャを実施するユーザ機器（ＵＥ）からのダウンリンク（ＤＬ）チャネル品質報告を可能にするための例示的な方法および／またはプロシージャを示す流れ図である。図９に示されている例示的な方法および／またはプロシージャは、たとえば、無線アクセスネットワーク（ＲＡＮ）におけるセルを提供するように設定されたネットワークノード（たとえば、ｅＮＢ、ｇＮＢ、ｎｇ−ｅＮＢ、またはそれらの構成要素）によって実装され得る。さらに、図９に示されている例示的な方法および／またはプロシージャは、本明細書で説明される様々な例示的な利益を提供するために、本明細書（たとえば、図８）で説明される他の例示的な方法および／またはプロシージャと協働して利用され得る。図９は、特定の順序でブロックを示すが、この順序は例にすぎず、例示的な方法および／またはプロシージャの動作は、示されているのとは異なる順序で実施され得、示されているのとは異なる機能を有するブロックに組み合わせられ、および／または分割され得る。随意の動作が、破線によって示される。
【００７２】
図９に示されている例示的な方法および／またはプロシージャは、ブロック９１０の動作を含むことができ、ネットワークノードは、ＵＥがＲＡプロシージャの特定のメッセージ中でＤＬチャネル品質を報告しなければならないことがあることを示す第１のインジケータを送信することができる。この動作は、上記で説明された動作８１０においてなど、１つまたは複数のＵＥが第１のインジケータを受信することに対応することができる。
【００７３】
いくつかの実施形態では、ＵＥのうちの１つまたは複数は、本明細書で説明されるような、カバレッジ拡張（ＣＥ）モードにおいて動作するように設定され得る。いくつかの実施形態では、ＲＡＮはＬｏｎｇ−Ｔｅｒｍ  Ｅｖｏｌｕｔｉｏｎ（ＬＴＥ）ネットワークであり得、特定のメッセージはＬＴＥ  ＲＡプロシージャのＭｓｇ３であり得る。いくつかの実施形態では、第１のインジケータは、ネットワークノードによってブロードキャストされたシステム情報中で送信され得る。いくつかの実施形態では、第１のインジケータは、ＲＡ応答中で送信され得る。
【００７４】
いくつかの実施形態では、例示的な方法および／またはプロシージャは、ブロック９２０の動作をも含むことができ、ネットワークノードは、セルにおいてブロードキャストされたシステム情報を介して、ネットワークノードが、特定のメッセージ中に早期データ送信（ＥＤＴ）を実施するようにセルにおいてＲＡプロシージャを実施するＵＥに要求し得るか否かを示す第３のインジケータを送信することができる。この動作は、上記で説明された動作８２０においてなど、１つまたは複数のＵＥが第３のインジケータを受信することに対応することができる。
【００７５】
例示的な方法および／またはプロシージャは、ブロック９３０の動作をも含むことができ、ネットワークノードは、（たとえば、ＵＥによって送信された１つまたは複数のＲＡプリアンブルを検出することによって）特定のＵＥがセルにおいてＲＡプロシージャを開始したと決定することができる。この動作は、上記で説明された動作８３０においてなど、特定のＵＥがＲＡプロシージャを開始することに応答することができる。
【００７６】
いくつかの実施形態では、例示的な方法および／またはプロシージャは、ブロック９４０の動作をも含むことができ、ネットワークノードは、ＵＥにＲＡ応答を送信することができる。この動作は、上記で説明された動作８５０においてなど、ＵＥがＲＡ応答を受信することに対応することができる。
【００７７】
いくつかの実施形態では、例示的な方法および／またはプロシージャは、ブロック９５０の動作をも含むことができ、ネットワークノードは、特定のＵＥから特定のメッセージを受信することができ、特定のメッセージは、ＤＬチャネル品質報告を条件付きで含む。この動作は、上記で説明された動作８７０においてなど、特定のＵＥが特定のメッセージを送信することに対応することができる。いくつかの実施形態では、ＤＬチャネル品質報告が含まれる条件は、第１のインジケータと、ＲＡ応答のコンテンツとのうちの少なくとも１つに基づき得る。
【００７８】
いくつかの実施形態では、（ブロック９４０において送信された）ＲＡ応答は、ＵＥに対する、特定のメッセージ中にＤＬチャネル品質を報告するようにとの要求を含むことができる。いくつかの実施形態では、ＲＡ応答は、特定のメッセージのためのリソースのアップリンク（ＵＬ）グラントを含むことができ、ＵＬグラントはトランスポートブロックサイズ（ＴＢＳ）を含む。そのような実施形態では、特定のメッセージは、ＴＢＳがＤＬチャネル品質報告を搬送するのに十分に大きい、またはＴＢＳが所定のしきい値を上回る、のうちの少なくとも１つが真であるとき、ＤＬチャネル品質報告を含むことができる。
【００７９】
いくつかの実施形態では、ＲＡ応答は、ＵＥが特定のメッセージ中に早期データ送信（ＥＤＴ）を実施するべきであるか否かを示す第２のインジケータを含むことができる。いくつかの実施形態では、特定のメッセージは、第２のインジケータが、ＵＥが特定のメッセージ中にＥＤＴを実施するべきであることを示すとき、ＤＬチャネル品質報告を含むことができる。
【００８０】
本明細書で説明される主題は、任意の好適な構成要素を使用する任意の適切なタイプのシステムにおいて実装され得るが、本明細書で開示される実施形態は、図１０に示されている例示的な無線ネットワークなどの無線ネットワークに関して説明される。簡単のために、図１０の無線ネットワークは、ネットワーク１００６、ネットワークノード１０６０および１０６０ｂ、ならびにＷＤ１０１０、１０１０ｂ、および１０１０ｃのみを図示する。実際には、無線ネットワークは、無線デバイス間の通信、あるいは無線デバイスと、固定電話、サービスプロバイダ、または任意の他のネットワークノードもしくはエンドデバイスなどの別の通信デバイスとの間の通信をサポートするのに好適な任意の追加のエレメントをさらに含むことができる。示されている構成要素のうち、ネットワークノード１０６０および無線デバイス（ＷＤ）１０１０は、追加の詳細とともに図示される。無線ネットワークは、１つまたは複数の無線デバイスに通信および他のタイプのサービスを提供して、無線デバイスの、無線ネットワークへのアクセス、および／あるいは、無線ネットワークによってまたは無線ネットワークを介して提供されるサービスの使用を容易にすることができる。
【００８１】
無線ネットワークは、任意のタイプの通信（ｃｏｍｍｕｎｉｃａｔｉｏｎ）、通信（ｔｅｌｅｃｏｍｍｕｎｉｃａｔｉｏｎ）、データ、セルラ、および／または無線ネットワーク、あるいは他の同様のタイプのシステムを備え、および／またはそれらとインターフェースすることができる。いくつかの実施形態では、無線ネットワークは、特定の規格あるいは他のタイプのあらかじめ規定されたルールまたはプロシージャに従って動作するように設定され得る。したがって、無線ネットワークの特定の実施形態は、汎欧州デジタル移動電話方式（ＧＳＭ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、Ｌｏｎｇ−Ｔｅｒｍ  Ｅｖｏｌｕｔｉｏｎ  （ＬＴＥ）、ならびに／あるいは他の好適な２Ｇ、３Ｇ、４Ｇ、または５Ｇ規格などの通信規格、ＩＥＥＥ８０２．１１規格などの無線ローカルエリアネットワーク（ＷＬＡＮ）規格、ならびに／あるいは、マイクロ波アクセスのための世界的相互運用性（ＷｉＭＡＸ）、Ｂｌｕｅｔｏｏｔｈ、Ｚ−Ｗａｖｅおよび／またはＺｉｇＢｅｅ規格など、任意の他の適切な無線通信規格を実装することができる。
【００８２】
ネットワーク１００６は、１つまたは複数のバックホールネットワーク、コアネットワーク、ＩＰネットワーク、公衆交換電話網（ＰＳＴＮ）、パケットデータネットワーク、光ネットワーク、ワイドエリアネットワーク（ＷＡＮ）、ローカルエリアネットワーク（ＬＡＮ）、無線ローカルエリアネットワーク（ＷＬＡＮ）、有線ネットワーク、無線ネットワーク、メトロポリタンエリアネットワーク、およびデバイス間の通信を可能にするための他のネットワークを備えることができる。
【００８３】
ネットワークノード１０６０およびＷＤ１０１０は、以下でより詳細に説明される様々な構成要素を備える。これらの構成要素は、無線ネットワークにおいて無線接続を提供することなど、ネットワークノードおよび／または無線デバイス機能を提供するために協働する。異なる実施形態では、無線ネットワークは、任意の数の有線または無線ネットワーク、ネットワークノード、基地局、コントローラ、無線デバイス、中継局、ならびに／あるいは有線接続を介してかまたは無線接続を介してかにかかわらず、データおよび／または信号の通信を容易にするかまたはその通信に参加することができる、任意の他の構成要素またはシステムを備えることができる。
【００８４】
ネットワークノードの例は、限定はしないが、アクセスポイント（ＡＰ）（たとえば、無線アクセスポイント）、基地局（ＢＳ）（たとえば、無線基地局、ＮＢ、ｅＮＢ、ｇＮＢ、またはそれらの構成要素）を含む。基地局は、基地局が提供するカバレッジの量（または、言い方を変えれば、基地局の送信電力レベル）に基づいてカテゴリー分類され得、その場合、フェムト基地局、ピコ基地局、マイクロ基地局、またはマクロ基地局と呼ばれることもある。基地局は、リレーを制御する、リレーノードまたはリレードナーノードであり得る。ネットワークノードは、リモート無線ヘッド（ＲＲＨ）と呼ばれることがある、集中型デジタルユニットおよび／またはリモートラジオユニット（ＲＲＵ）など、分散無線基地局の１つまたは複数（またはすべて）の部分をも含むことができる。そのようなリモートラジオユニットは、アンテナ統合無線機としてアンテナと統合されることも統合されないこともある。分散無線基地局の部分は、分散アンテナシステム（ＤＡＳ）において、ノードと呼ばれることもある。
【００８５】
ネットワークノードのさらなる例は、マルチ規格無線（ＭＳＲ）ＢＳなどのＭＳＲ機器、無線ネットワークコントローラ（ＲＮＣ）または基地局コントローラ（ＢＳＣ）などのネットワークコントローラ、基地トランシーバ局（ＢＴＳ）、送信ポイント、送信ノード、マルチセル／マルチキャスト協調エンティティ（ＭＣＥ）、コアネットワークノード（たとえば、ＭＳＣ、ＭＭＥ）、Ｏ＆Ｍノード、ＯＳＳノード、ＳＯＮノード、測位ノード（たとえば、Ｅ−ＳＭＬＣ）、および／あるいはＭＤＴを含む。別の例として、ネットワークノードは、以下でより詳細に説明されるように、仮想ネットワークノードであり得る。
【００８６】
図１０では、ネットワークノード１０６０は、処理回路１０７０と、デバイス可読媒体１０８０と、インターフェース１０９０と、補助機器１０８４と、電源１０８６と、電力回路１０８７と、アンテナ１０６２とを含む。図１０の例示的な無線ネットワーク中に示されているネットワークノード１０６０は、ハードウェア構成要素の示されている組合せを含むデバイスを表すことができるが、他の実施形態は、構成要素の異なる組合せをもつネットワークノードを備えることができる。ネットワークノードが、本明細書で開示されるタスク、特徴、機能および方法および／またはプロシージャを実施するために必要とされるハードウェアおよび／またはソフトウェアの任意の好適な組合せを備えることを理解されたい。その上、ネットワークノード１０６０の構成要素が、より大きいボックス内に位置する単一のボックスとして、または複数のボックス内で入れ子にされている単一のボックスとして図示されているが、実際には、ネットワークノードは、単一の示されている構成要素を組成する複数の異なる物理構成要素を備えることができる（たとえば、デバイス可読媒体１０８０は、複数の別個のハードドライブならびに複数のＲＡＭモジュールを備えることができる）。
【００８７】
同様に、ネットワークノード１０６０は、複数の物理的に別個の構成要素（たとえば、ノードＢ構成要素およびＲＮＣ構成要素、またはＢＴＳ構成要素およびＢＳＣ構成要素など）から組み立てられ得、これらは各々、それら自体のそれぞれの構成要素を有することができる。ネットワークノード１０６０が複数の別個の構成要素（たとえば、ＢＴＳ構成要素およびＢＳＣ構成要素）を備えるいくつかのシナリオでは、別個の構成要素のうちの１つまたは複数が、数個のネットワークノードの間で共有され得る。たとえば、単一のＲＮＣが、複数のノードＢを制御することができる。そのようなシナリオでは、各一意のノードＢとＲＮＣとのペアは、いくつかの事例では、単一の別個のネットワークノードと見なされ得る。いくつかの実施形態では、ネットワークノード１０６０は、複数の無線アクセス技術（ＲＡＴ）をサポートするように設定され得る。そのような実施形態では、いくつかの構成要素は複製され得（たとえば、異なるＲＡＴのための別個のデバイス可読媒体１０８０）、いくつかの構成要素は再使用され得る（たとえば、同じアンテナ１０６２がＲＡＴによって共有され得る）。ネットワークノード１０６０は、ネットワークノード１０６０に統合された、たとえば、ＧＳＭ、ＷＣＤＭＡ、ＬＴＥ、ＮＲ、ＷｉＦｉ、またはＢｌｕｅｔｏｏｔｈ無線技術など、異なる無線技術のための様々な示されている構成要素の複数のセットをも含むことができる。これらの無線技術は、同じまたは異なるチップまたはチップのセット、およびネットワークノード１０６０内の他の構成要素に統合され得る。
【００８８】
処理回路１０７０は、ネットワークノードによって提供されるものとして本明細書で説明される、任意の決定動作、計算動作、または同様の動作（たとえば、いくつかの取得動作）を実施するように設定され得る。処理回路１０７０によって実施されるこれらの動作は、処理回路１０７０によって取得された情報を、たとえば、取得された情報を他の情報に変換することによって、処理すること、取得された情報または変換された情報をネットワークノードに記憶された情報と比較すること、ならびに／あるいは、取得された情報または変換された情報に基づいて、および前記処理が決定を行ったことの結果として、１つまたは複数の動作を実施することを含むことができる。
【００８９】
処理回路１０７０は、単体で、またはデバイス可読媒体１０８０などの他のネットワークノード１０６０構成要素と併せてのいずれかで、ネットワークノード１０６０機能を提供するように動作可能な、マイクロプロセッサ、コントローラ、マイクロコントローラ、中央処理ユニット、デジタル信号プロセッサ、特定用途向け集積回路、フィールドプログラマブルゲートアレイ、または任意の他の好適なコンピューティングデバイス、リソースのうちの１つまたは複数の組合せ、あるいはハードウェア、ソフトウェアおよび／または符号化された論理の組合せを備えることができる。たとえば、処理回路１０７０は、デバイス可読媒体１０８０に記憶された命令、または処理回路１０７０内のメモリに記憶された命令を実行することができる。そのような機能は、本明細書で説明される様々な無線特徴、機能、または利益のうちのいずれかを提供することを含むことができる。いくつかの実施形態では、処理回路１０７０は、システムオンチップ（ＳＯＣ）を含むことができる。
【００９０】
いくつかの実施形態では、処理回路１０７０は、無線周波数（ＲＦ）トランシーバ回路１０７２とベースバンド処理回路１０７４とのうちの１つまたは複数を含むことができる。いくつかの実施形態では、無線周波数（ＲＦ）トランシーバ回路１０７２とベースバンド処理回路１０７４とは、別個のチップ（またはチップのセット）、ボード、または無線ユニットおよびデジタルユニットなどのユニット上にあり得る。代替実施形態では、ＲＦトランシーバ回路１０７２とベースバンド処理回路１０７４との一部または全部は、同じチップまたはチップのセット、ボード、あるいはユニット上にあり得る。
【００９１】
いくつかの実施形態では、ネットワークノード、基地局、ｅＮＢまたは他のそのようなネットワークデバイスによって提供されるものとして本明細書で説明される機能の一部または全部は、デバイス可読媒体１０８０、または処理回路１０７０内のメモリに記憶された、命令を実行する処理回路１０７０によって実施され得る。代替実施形態では、機能の一部または全部は、ハードワイヤード様式などで、別個のまたは個別のデバイス可読媒体に記憶された命令を実行することなしに、処理回路１０７０によって提供され得る。それらの実施形態のいずれでも、デバイス可読記憶媒体に記憶された命令を実行するか否かにかかわらず、処理回路１０７０は、説明される機能を実施するように設定され得る。そのような機能によって提供される利益は、処理回路１０７０単独に、またはネットワークノード１０６０の他の構成要素に限定されないが、全体としてネットワークノード１０６０によって、ならびに／または概してエンドユーザおよび無線ネットワークによって、享受される。
【００９２】
デバイス可読媒体１０８０は、限定はしないが、永続記憶域、固体メモリ、リモートマウントメモリ、磁気媒体、光媒体、ランダムアクセスメモリ（ＲＡＭ）、読取り専用メモリ（ＲＯＭ）、大容量記憶媒体（たとえば、ハードディスク）、リムーバブル記憶媒体（たとえば、フラッシュドライブ、コンパクトディスク（ＣＤ）またはデジタルビデオディスク（ＤＶＤ））を含む、任意の形態の揮発性または不揮発性コンピュータ可読メモリ、ならびに／あるいは、処理回路１０７０によって使用され得る情報、データ、および／または命令を記憶する、任意の他の揮発性または不揮発性、非一時的デバイス可読および／またはコンピュータ実行可能メモリデバイスを備えることができる。デバイス可読媒体１０８０は、コンピュータプログラム、ソフトウェア、論理、ルール、コード、テーブルなどのうちの１つまたは複数を含むアプリケーション、および／または処理回路１０７０によって実行されることが可能であり、ネットワークノード１０６０によって利用される、他の命令を含む、任意の好適な命令、データまたは情報を記憶することができる。デバイス可読媒体１０８０は、処理回路１０７０によって行われた計算および／またはインターフェース１０９０を介して受信されたデータを記憶するために使用され得る。いくつかの実施形態では、処理回路１０７０およびデバイス可読媒体１０８０は、統合されていると見なされ得る。
【００９３】
インターフェース１０９０は、ネットワークノード１０６０、ネットワーク１００６、および／またはＷＤ１０１０の間のシグナリングおよび／またはデータの有線または無線通信において使用される。示されているように、インターフェース１０９０は、たとえば有線接続上でネットワーク１００６との間でデータを送るおよび受信するための（１つまたは複数の）ポート／（１つまたは複数の）端末１０９４を備える。インターフェース１０９０は、アンテナ１０６２に結合されるか、またはいくつかの実施形態では、アンテナ１０６２の一部であり得る、無線フロントエンド回路１０９２をも含む。無線フロントエンド回路１０９２は、フィルタ１０９８と増幅器１０９６とを備える。無線フロントエンド回路１０９２は、アンテナ１０６２および処理回路１０７０に接続され得る。無線フロントエンド回路は、アンテナ１０６２と処理回路１０７０との間で通信される信号を調整するように設定され得る。無線フロントエンド回路１０９２は、無線接続を介して他のネットワークノードまたはＷＤに送出されるべきであるデジタルデータを受信することができる。無線フロントエンド回路１０９２は、デジタルデータを、フィルタ１０９８および／または増幅器１０９６の組合せを使用して適切なチャネルおよび帯域幅パラメータを有する無線信号に変換することができる。無線信号は、次いで、アンテナ１０６２を介して送信され得る。同様に、データを受信するとき、アンテナ１０６２は無線信号を収集することができ、次いで、無線信号は無線フロントエンド回路１０９２によってデジタルデータに変換される。デジタルデータは、処理回路１０７０に受け渡され得る。他の実施形態では、インターフェースは、異なる構成要素および／または構成要素の異なる組合せを備えることができる。
【００９４】
いくつかの代替実施形態では、ネットワークノード１０６０は別個の無線フロントエンド回路１０９２を含まないことがあり、代わりに、処理回路１０７０は、無線フロントエンド回路を備えることができ、別個の無線フロントエンド回路１０９２なしでアンテナ１０６２に接続され得る。同様に、いくつかの実施形態では、ＲＦトランシーバ回路１０７２の全部または一部が、インターフェース１０９０の一部と見なされ得る。さらに他の実施形態では、インターフェース１０９０は、無線ユニット（図示せず）の一部として、１つまたは複数のポートまたは端末１０９４と、無線フロントエンド回路１０９２と、ＲＦトランシーバ回路１０７２とを含むことができ、インターフェース１０９０は、デジタルユニット（図示せず）の一部であるベースバンド処理回路１０７４と通信することができる。
【００９５】
アンテナ１０６２は、無線信号を送るおよび／または受信するように設定された、１つまたは複数のアンテナまたはアンテナアレイを含むことができる。アンテナ１０６２は、無線フロントエンド回路１０９２に結合され得、データおよび／または信号を無線で送信および受信することが可能な任意のタイプのアンテナであり得る。いくつかの実施形態では、アンテナ１０６２は、たとえば２ＧＨｚから６６ＧＨｚの間の無線信号を送信／受信するように動作可能な１つまたは複数の全指向性、セクタまたはパネルアンテナを備えることができる。全指向性アンテナは、任意の方向に無線信号を送信／受信するために使用され得、セクタアンテナは、特定のエリア内のデバイスから無線信号を送信／受信するために使用され得、パネルアンテナは、比較的直線ラインで無線信号を送信／受信するために使用される見通し線アンテナであり得る。いくつかの事例では、２つ以上のアンテナの使用は、ＭＩＭＯと呼ばれることがある。いくつかの実施形態では、アンテナ１０６２は、ネットワークノード１０６０とは別個であり得、インターフェースまたはポートを通してネットワークノード１０６０に接続可能であり得る。
【００９６】
アンテナ１０６２、インターフェース１０９０、および／または処理回路１０７０は、ネットワークノードによって実施されるものとして本明細書で説明される任意の受信動作および／またはいくつかの取得動作を実施するように設定され得る。任意の情報、データおよび／または信号が、無線デバイス、別のネットワークノードおよび／または任意の他のネットワーク機器から受信され得る。同様に、アンテナ１０６２、インターフェース１０９０、および／または処理回路１０７０は、ネットワークノードによって実施されるものとして本明細書で説明される任意の送信動作を実施するように設定され得る。任意の情報、データおよび／または信号が、無線デバイス、別のネットワークノードおよび／または任意の他のネットワーク機器に送信され得る。
【００９７】
電力回路１０８７は、電力管理回路を備えるか、または電力管理回路に結合され得、本明細書で説明される機能を実施するための電力を、ネットワークノード１０６０の構成要素に供給するように設定され得る。電力回路１０８７は、電源１０８６から電力を受信することができる。電源１０８６および／または電力回路１０８７は、それぞれの構成要素に好適な形式で（たとえば、各それぞれの構成要素のために必要とされる電圧および電流レベルにおいて）、ネットワークノード１０６０の様々な構成要素に電力を提供するように設定され得る。電源１０８６は、電力回路１０８７および／またはネットワークノード１０６０中に含まれるか、あるいは電力回路１０８７および／またはネットワークノード１０６０の外部にあるかのいずれかであり得る。たとえば、ネットワークノード１０６０は、電気ケーブルなどの入力回路またはインターフェースを介して外部電源（たとえば、電気コンセント）に接続可能であり得、それにより、外部電源は電力回路１０８７に電力を供給する。さらなる例として、電源１０８６は、電力回路１０８７に接続された、または電力回路１０８７中で統合された、バッテリーまたはバッテリーパックの形態の電力源を備えることができる。バッテリーは、外部電源が落ちた場合、バックアップ電力を提供することができる。光起電力デバイスなどの他のタイプの電力源も使用され得る。
【００９８】
ネットワークノード１０６０の代替実施形態は、本明細書で説明される機能、および／または本明細書で説明される主題をサポートするために必要な機能のうちのいずれかを含む、ネットワークノードの機能のいくつかの態様を提供することを担当することができる、図１０に示されている構成要素以外の追加の構成要素を含むことができる。たとえば、ネットワークノード１０６０は、ネットワークノード１０６０への情報の入力を可能および／または容易にするための、およびネットワークノード１０６０からの情報の出力を可能および／または容易にするための、ユーザインターフェース機器を含むことができる。これは、ユーザが、ネットワークノード１０６０のための診断、メンテナンス、修復、および他のアドミニストレーティブ機能を実施することを可能および／または容易にすることができる。
【００９９】
いくつかの実施形態では、無線デバイス（ＷＤ、たとえば、ＷＤ１０１０）は、直接人間対話なしに情報を送信および／または受信するように設定され得る。たとえば、ＷＤは、内部または外部イベントによってトリガされたとき、あるいはネットワークからの要求に応答して、所定のスケジュールでネットワークに情報を送信するように設計され得る。ＷＤの例は、限定はしないが、スマートフォン、モバイルフォン、セルフォン、ボイスオーバーＩＰ（ＶｏＩＰ）フォン、無線ローカルループ電話、デスクトップコンピュータ、携帯情報端末（ＰＤＡ）、無線カメラ、ゲーミングコンソールまたはデバイス、音楽記憶デバイス、再生器具、ウェアラブルデバイス、無線エンドポイント、移動局、タブレット、ラップトップコンピュータ、ラップトップ組込み機器（ＬＥＥ）、ラップトップ搭載機器（ＬＭＥ）、スマートデバイス、無線顧客構内機器（ＣＰＥ）、モバイル型通信（ＭＴＣ）デバイス、モノのインターネット（ＩｏＴ）デバイス、車載無線端末デバイスなどを含む。
【０１００】
ＷＤは、たとえばサイドリンク通信、Ｖ２Ｖ（Ｖｅｈｉｃｌｅ−ｔｏ−Ｖｅｈｉｃｌｅ）、Ｖ２Ｉ（Ｖｅｈｉｃｌｅ−ｔｏ−Ｉｎｆｒａｓｔｒｕｃｔｕｒｅ）、Ｖ２Ｘ（Ｖｅｈｉｃｌｅ−ｔｏ−Ｅｖｅｒｙｔｈｉｎｇ）のための３ＧＰＰ規格を実装することによって、Ｄ２Ｄ（ｄｅｖｉｃｅ−ｔｏ−ｄｅｖｉｃｅ）通信をサポートすることができ、この場合、Ｄ２Ｄ通信デバイスと呼ばれることがある。また別の特定の例として、モノのインターネット（ＩｏＴ）シナリオでは、ＷＤは、監視および／または測定を実施し、そのような監視および／または測定の結果を別のＷＤおよび／またはネットワークノードに送信する、マシンまたは他のデバイスを表すことができる。ＷＤは、この場合、マシンツーマシン（Ｍ２Ｍ）デバイスであり得、Ｍ２Ｍデバイスは、３ＧＰＰコンテキストではＭＴＣデバイスと呼ばれることがある。１つの特定の例として、ＷＤは、３ＧＰＰ狭帯域モノのインターネット（ＮＢ−ＩｏＴ）規格を実装するＵＥであり得る。そのようなマシンまたはデバイスの特定の例は、センサー、電力計などの計量デバイス、産業用機械類、あるいは家庭用または個人用電気器具（たとえば、冷蔵庫、テレビジョンなど）、個人用ウェアラブル（たとえば、時計、フィットネストラッカーなど）である。他のシナリオでは、ＷＤは車両または他の機器を表すことができ、車両または他の機器は、その動作ステータスを監視することおよび／またはその動作ステータスに関して報告すること、あるいはその動作に関連する他の機能が可能である。上記で説明されたＷＤは無線接続のエンドポイントを表すことができ、その場合、デバイスは無線端末と呼ばれることがある。さらに、上記で説明されたＷＤはモバイルであり得、その場合、デバイスはモバイルデバイスまたはモバイル端末と呼ばれることもある。
【０１０１】
示されているように、無線デバイス１０１０は、アンテナ１０１１と、インターフェース１０１４と、処理回路１０２０と、デバイス可読媒体１０３０と、ユーザインターフェース機器１０３２と、補助機器１０３４と、電源１０３６と、電力回路１０３７とを含む。ＷＤ１０１０は、ＷＤ１０１０によってサポートされる、たとえば、ほんの数個を挙げると、ＧＳＭ、ＷＣＤＭＡ、ＬＴＥ、ＮＲ、ＷｉＦｉ、ＷｉＭＡＸ、またはＢｌｕｅｔｏｏｔｈ無線技術など、異なる無線技術のための示されている構成要素のうちの１つまたは複数の複数のセットを含むことができる。これらの無線技術は、ＷＤ１０１０内の他の構成要素と同じまたは異なるチップまたはチップのセットに統合され得る。
【０１０２】
アンテナ１０１１は、無線信号を送るおよび／または受信するように設定された、１つまたは複数のアンテナまたはアンテナアレイを含むことができ、インターフェース１０１４に接続される。いくつかの代替実施形態では、アンテナ１０１１は、ＷＤ１０１０とは別個であり、インターフェースまたはポートを通してＷＤ１０１０に接続可能であり得る。アンテナ１０１１、インターフェース１０１４、および／または処理回路１０２０は、ＷＤによって実施されるものとして本明細書で説明される任意の受信動作または送信動作を実施するように設定され得る。任意の情報、データおよび／または信号が、ネットワークノードおよび／または別のＷＤから受信され得る。いくつかの実施形態では、無線フロントエンド回路および／またはアンテナ１０１１は、インターフェースと見なされ得る。
【０１０３】
示されているように、インターフェース１０１４は、無線フロントエンド回路１０１２とアンテナ１０１１とを備える。無線フロントエンド回路１０１２は、１つまたは複数のフィルタ１０１８と増幅器１０１６とを備える。無線フロントエンド回路１０１２は、アンテナ１０１１および処理回路１０２０に接続され、アンテナ１０１１と処理回路１０２０との間で通信される信号を調整するように設定され得る。無線フロントエンド回路１０１２は、アンテナ１０１１に結合されるか、またはアンテナ１０１１の一部であり得る。いくつかの実施形態では、ＷＤ１０１０は別個の無線フロントエンド回路１０１２を含まないことがあり、むしろ、処理回路１０２０は、無線フロントエンド回路を備えることができ、アンテナ１０１１に接続され得る。同様に、いくつかの実施形態では、ＲＦトランシーバ回路１０２２の一部または全部が、インターフェース１０１４の一部と見なされ得る。無線フロントエンド回路１０１２は、無線接続を介して他のネットワークノードまたはＷＤに送出されるべきであるデジタルデータを受信することができる。無線フロントエンド回路１０１２は、デジタルデータを、フィルタ１０１８および／または増幅器１０１６の組合せを使用して適切なチャネルおよび帯域幅パラメータを有する無線信号に変換することができる。無線信号は、次いで、アンテナ１０１１を介して送信され得る。同様に、データを受信するとき、アンテナ１０１１は無線信号を収集することができ、次いで、無線信号は無線フロントエンド回路１０１２によってデジタルデータに変換される。デジタルデータは、処理回路１０２０に受け渡され得る。他の実施形態では、インターフェースは、異なる構成要素および／または構成要素の異なる組合せを備えることができる。
【０１０４】
処理回路１０２０は、単体で、またはデバイス可読媒体１０３０などの他のＷＤ１０１０構成要素と併せてのいずれかで、ＷＤ１０１０機能を提供するように動作可能な、マイクロプロセッサ、コントローラ、マイクロコントローラ、中央処理ユニット、デジタル信号プロセッサ、特定用途向け集積回路、フィールドプログラマブルゲートアレイ、または任意の他の好適なコンピューティングデバイス、リソースのうちの１つまたは複数の組合せ、あるいはハードウェア、ソフトウェアおよび／または符号化された論理の組合せを備えることができる。そのような機能は、本明細書で説明される様々な無線特徴または利益のうちのいずれかを提供することを含むことができる。たとえば、処理回路１０２０は、本明細書で開示される機能を提供するために、デバイス可読媒体１０３０に記憶された命令、または処理回路１０２０内のメモリに記憶された命令を実行することができる。
【０１０５】
示されているように、処理回路１０２０は、ＲＦトランシーバ回路１０２２、ベースバンド処理回路１０２４、およびアプリケーション処理回路１０２６のうちの１つまたは複数を含む。他の実施形態では、処理回路は、異なる構成要素および／または構成要素の異なる組合せを備えることができる。いくつかの実施形態では、ＷＤ１０１０の処理回路１０２０は、ＳＯＣを備えることができる。いくつかの実施形態では、ＲＦトランシーバ回路１０２２、ベースバンド処理回路１０２４、およびアプリケーション処理回路１０２６は、別個のチップまたはチップのセット上にあり得る。代替実施形態では、ベースバンド処理回路１０２４およびアプリケーション処理回路１０２６の一部または全部は１つのチップまたはチップのセットになるように組み合わせられ得、ＲＦトランシーバ回路１０２２は別個のチップまたはチップのセット上にあり得る。さらに代替の実施形態では、ＲＦトランシーバ回路１０２２およびベースバンド処理回路１０２４の一部または全部は同じチップまたはチップのセット上にあり得、アプリケーション処理回路１０２６は別個のチップまたはチップのセット上にあり得る。また他の代替実施形態では、ＲＦトランシーバ回路１０２２、ベースバンド処理回路１０２４、およびアプリケーション処理回路１０２６の一部または全部は、同じチップまたはチップのセット中で組み合わせられ得る。いくつかの実施形態では、ＲＦトランシーバ回路１０２２は、インターフェース１０１４の一部であり得る。ＲＦトランシーバ回路１０２２は、処理回路１０２０のためのＲＦ信号を調整することができる。
【０１０６】
いくつかの実施形態では、ＷＤによって実施されるものとして本明細書で説明される機能の一部または全部は、デバイス可読媒体１０３０に記憶された命令を実行する処理回路１０２０によって提供され得、デバイス可読媒体１０３０は、いくつかの実施形態では、コンピュータ可読記憶媒体であり得る。代替実施形態では、機能の一部または全部は、ハードワイヤード様式などで、別個のまたは個別のデバイス可読記憶媒体に記憶された命令を実行することなしに、処理回路１０２０によって提供され得る。それらの特定の実施形態のいずれでも、デバイス可読記憶媒体に記憶された命令を実行するか否かにかかわらず、処理回路１０２０は、説明される機能を実施するように設定され得る。そのような機能によって提供される利益は、処理回路１０２０単独に、またはＷＤ１０１０の他の構成要素に限定されないが、全体としてＷＤ１０１０によって、ならびに／または概してエンドユーザおよび無線ネットワークによって、享受される。
【０１０７】
処理回路１０２０は、ＷＤによって実施されるものとして本明細書で説明される、任意の決定動作、計算動作、または同様の動作（たとえば、いくつかの取得動作）を実施するように設定され得る。処理回路１０２０によって実施されるようなこれらの動作は、処理回路１０２０によって取得された情報を、たとえば、取得された情報を他の情報に変換することによって、処理すること、取得された情報または変換された情報をＷＤ１０１０によって記憶された情報と比較すること、ならびに／あるいは、取得された情報または変換された情報に基づいて、および前記処理が決定を行ったことの結果として、１つまたは複数の動作を実施することを含むことができる。
【０１０８】
デバイス可読媒体１０３０は、コンピュータプログラム、ソフトウェア、論理、ルール、コード、テーブルなどのうちの１つまたは複数を含むアプリケーション、および／または処理回路１０２０によって実行されることが可能な他の命令を記憶するように動作可能であり得る。デバイス可読媒体１０３０は、コンピュータメモリ（たとえば、ランダムアクセスメモリ（ＲＡＭ）または読取り専用メモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、ならびに／あるいは、処理回路１０２０によって使用され得る情報、データ、および／または命令を記憶する、任意の他の揮発性または不揮発性、非一時的デバイス可読および／またはコンピュータ実行可能メモリデバイスを含むことができる。いくつかの実施形態では、処理回路１０２０およびデバイス可読媒体１０３０は、統合されていると見なされ得る。
【０１０９】
ユーザインターフェース機器１０３２は、人間のユーザがＷＤ１０１０と対話することを可能および／または容易にする構成要素を含むことができる。そのような対話は、視覚、聴覚、触覚など、多くの形態のものであり得る。ユーザインターフェース機器１０３２は、ユーザへの出力を作り出すように、およびユーザがＷＤ１０１０への入力を提供することを可能および／または容易にするように動作可能であり得る。対話のタイプは、ＷＤ１０１０にインストールされるユーザインターフェース機器１０３２のタイプに応じて変動することがある。たとえば、ＷＤ１０１０がスマートフォンである場合、対話はタッチスクリーンを介したものであり得、ＷＤ１０１０がスマートメーターである場合、対話は、使用量（たとえば、使用されたガロンの数）を提供するスクリーン、または（たとえば、煙が検出された場合）可聴警報を提供するスピーカーを通したものであり得る。ユーザインターフェース機器１０３２は、入力インターフェース、デバイスおよび回路、ならびに、出力インターフェース、デバイスおよび回路を含むことができる。ユーザインターフェース機器１０３２は、ＷＤ１０１０への情報の入力を可能および／または容易にするように設定され得、処理回路１０２０が入力情報を処理することを可能および／または容易にするために、処理回路１０２０に接続される。ユーザインターフェース機器１０３２は、たとえば、マイクロフォン、近接度または他のセンサー、キー／ボタン、タッチディスプレイ、１つまたは複数のカメラ、ＵＳＢポート、あるいは他の入力回路を含むことができる。ユーザインターフェース機器１０３２はまた、ＷＤ１０１０からの情報の出力を可能および／または容易にするように、および処理回路１０２０がＷＤ１０１０からの情報を出力することを可能および／または容易にするように設定される。ユーザインターフェース機器１０３２は、たとえば、スピーカー、ディスプレイ、振動回路、ＵＳＢポート、ヘッドフォンインターフェース、または他の出力回路を含むことができる。ユーザインターフェース機器１０３２の１つまたは複数の入力および出力インターフェース、デバイス、および回路を使用して、ＷＤ１０１０は、エンドユーザおよび／または無線ネットワークと通信し、エンドユーザおよび／または無線ネットワークが本明細書で説明される機能から利益を得ることを可能および／または容易にすることができる。
【０１１０】
補助機器１０３４は、概してＷＤによって実施されないことがある、より固有の機能を提供するように動作可能である。これは、様々な目的のために測定を行うための特殊なセンサー、有線通信などの追加のタイプの通信のためのインターフェースなどを備えることができる。補助機器１０３４の構成要素の包含、および補助機器１０３４の構成要素のタイプは、実施形態および／またはシナリオに応じて変動することがある。
【０１１１】
電源１０３６は、いくつかの実施形態では、バッテリーまたはバッテリーパックの形態のものであり得る。外部電源（たとえば、電気コンセント）、光起電力デバイスまたは電池など、他のタイプの電源も使用され得る。ＷＤ１０１０は、電源１０３６から、本明細書で説明または示される任意の機能を行うために電源１０３６からの電力を必要とする、ＷＤ１０１０の様々な部分に電力を配信するための、電力回路１０３７をさらに備えることができる。電力回路１０３７は、いくつかの実施形態では、電力管理回路を備えることができる。電力回路１０３７は、追加または代替として、外部電源から電力を受信するように動作可能であり得、その場合、ＷＤ１０１０は、電力ケーブルなどの入力回路またはインターフェースを介して（電気コンセントなどの）外部電源に接続可能であり得る。電力回路１０３７はまた、いくつかの実施形態では、外部電源から電源１０３６に電力を配信するように動作可能であり得る。これは、たとえば、電源１０３６の充電のためのものであり得る。電力回路１０３７は、電源１０３６からの電力に対して、その電力を、ＷＤ１０１０のそれぞれの構成要素への供給に好適であるようにするために、任意の変換、または他の修正を実施することができる。
【０１１２】
図１１は、本明細書で説明される様々な態様による、ＵＥの一実施形態を示す。本明細書で使用されるユーザ機器またはＵＥは、必ずしも、関連するデバイスを所有し、および／または動作させる人間のユーザという意味におけるユーザを有するとは限らない。代わりに、ＵＥは、人間のユーザへの販売、または人間のユーザによる動作を意図されるが、特定の人間のユーザに関連しないことがあるか、または特定の人間のユーザに初めに関連しないことがある、デバイス（たとえば、スマートスプリンクラーコントローラ）を表すことができる。代替的に、ＵＥは、エンドユーザへの販売、またはエンドユーザによる動作を意図されないが、ユーザに関連するか、またはユーザの利益のために動作され得る、デバイス（たとえば、スマート電力計）を表すことができる。ＵＥ１１００は、ＮＢ−ＩｏＴ  ＵＥ、マシン型通信（ＭＴＣ）ＵＥ、および／または拡張ＭＴＣ（ｅＭＴＣ）ＵＥを含む、第３世代パートナーシッププロジェクト（３ＧＰＰ）によって識別される任意のＵＥであり得る。図１１に示されているＵＥ１１００は、第３世代パートナーシッププロジェクト（３ＧＰＰ）のＧＳＭ、ＵＭＴＳ、ＬＴＥ、および／または５Ｇ規格など、３ＧＰＰによって公表された１つまたは複数の通信規格による通信のために設定されたＷＤの一例である。前述のように、ＷＤおよびＵＥという用語は、互換的に使用され得る。したがって、図１１はＵＥであるが、本明細書で説明される構成要素は、ＷＤに等しく適用可能であり、その逆も同様である。
【０１１３】
図１１では、ＵＥ１１００は、入出力インターフェース１１０５、無線周波数（ＲＦ）インターフェース１１０９、ネットワーク接続インターフェース１１１１、ランダムアクセスメモリ（ＲＡＭ）１１１７と読取り専用メモリ（ＲＯＭ）１１１９と記憶媒体１１２１などとを含むメモリ１１１５、通信サブシステム１１３１、電源１１３３、および／または他の構成要素、あるいはそれらの任意の組合せに動作可能に結合された、処理回路１１０１を含む。記憶媒体１１２１は、オペレーティングシステム１１２３と、アプリケーションプログラム１１２５と、データ１１２７とを含む。他の実施形態では、記憶媒体１１２１は、他の同様のタイプの情報を含むことができる。いくつかのＵＥは、図１１に示されている構成要素のすべてを利用するか、またはそれらの構成要素のサブセットのみを利用することができる。構成要素間の統合のレベルは、ＵＥごとに変動することがある。さらに、いくつかのＵＥは、複数のプロセッサ、メモリ、トランシーバ、送信機、受信機など、構成要素の複数のインスタンスを含んでいることがある。
【０１１４】
図１１では、処理回路１１０１は、コンピュータ命令およびデータを処理するように設定され得る。処理回路１１０１は、（たとえば、ディスクリート論理、ＦＰＧＡ、ＡＳＩＣなどにおける）１つまたは複数のハードウェア実装状態機械など、機械可読コンピュータプログラムとしてメモリに記憶された機械命令を実行するように動作可能な任意の逐次状態機械、適切なファームウェアと一緒のプログラマブル論理、適切なソフトウェアと一緒のマイクロプロセッサまたはデジタル信号プロセッサ（ＤＳＰ）など、１つまたは複数のプログラム内蔵、汎用プロセッサ、あるいは上記の任意の組合せを実装するように設定され得る。たとえば、処理回路１１０１は、２つの中央処理ユニット（ＣＰＵ）を含むことができる。データは、コンピュータによる使用に好適な形式での情報であり得る。
【０１１５】
図示された実施形態では、入出力インターフェース１１０５は、入力デバイス、出力デバイス、または入出力デバイスに通信インターフェースを提供するように設定され得る。ＵＥ１１００は、入出力インターフェース１１０５を介して出力デバイスを使用するように設定され得る。出力デバイスは、入力デバイスと同じタイプのインターフェースポートを使用することができる。たとえば、ＵＥ１１００への入力およびＵＥ１１００からの出力を提供するために、ＵＳＢポートが使用され得る。出力デバイスは、スピーカー、サウンドカード、ビデオカード、ディスプレイ、モニタ、プリンタ、アクチュエータ、エミッタ、スマートカード、別の出力デバイス、またはそれらの任意の組合せであり得る。ＵＥ１１００は、ユーザがＵＥ１１００に情報をキャプチャすることを可能および／または容易にするために、入出力インターフェース１１０５を介して入力デバイスを使用するように設定され得る。入力デバイスは、タッチセンシティブまたはプレゼンスセンシティブディスプレイ、カメラ（たとえば、デジタルカメラ、デジタルビデオカメラ、ウェブカメラなど）、マイクロフォン、センサー、マウス、トラックボール、方向パッド、トラックパッド、スクロールホイール、スマートカードなどを含むことができる。プレゼンスセンシティブディスプレイは、ユーザからの入力を検知するための容量性または抵抗性タッチセンサーを含むことができる。センサーは、たとえば、加速度計、ジャイロスコープ、チルトセンサー、力センサー、磁力計、光センサー、近接度センサー、別の同様のセンサー、またはそれらの任意の組合せであり得る。たとえば、入力デバイスは、加速度計、磁力計、デジタルカメラ、マイクロフォン、および光センサーであり得る。
【０１１６】
図１１では、ＲＦインターフェース１１０９は、送信機、受信機、およびアンテナなど、ＲＦ構成要素に通信インターフェースを提供するように設定され得る。ネットワーク接続インターフェース１１１１は、ネットワーク１１４３ａに通信インターフェースを提供するように設定され得る。ネットワーク１１４３ａは、ローカルエリアネットワーク（ＬＡＮ）、ワイドエリアネットワーク（ＷＡＮ）、コンピュータネットワーク、無線ネットワーク、通信ネットワーク、別の同様のネットワークまたはそれらの任意の組合せなど、有線および／または無線ネットワークを包含することができる。たとえば、ネットワーク１１４３ａは、Ｗｉ−Ｆｉネットワークを備えることができる。ネットワーク接続インターフェース１１１１は、イーサネット、ＴＣＰ／ＩＰ、ＳＯＮＥＴ、ＡＴＭなど、１つまたは複数の通信プロトコルに従って通信ネットワーク上で１つまたは複数の他のデバイスと通信するために使用される、受信機および送信機インターフェースを含むように設定され得る。ネットワーク接続インターフェース１１１１は、通信ネットワークリンク（たとえば、光学的、電気的など）に適した受信機および送信機機能を実装することができる。送信機および受信機機能は、回路構成要素、ソフトウェアまたはファームウェアを共有することができるか、あるいは、代替的に、別個に実装され得る。
【０１１７】
ＲＡＭ１１１７は、オペレーティングシステム、アプリケーションプログラム、およびデバイスドライバなど、ソフトウェアプログラムの実行中に、データまたはコンピュータ命令の記憶またはキャッシングを提供するために、バス１１０２を介して処理回路１１０１にインターフェースするように設定され得る。ＲＯＭ１１１９は、処理回路１１０１にコンピュータ命令またはデータを提供するように設定され得る。たとえば、ＲＯＭ１１１９は、不揮発性メモリに記憶される、基本入出力（Ｉ／Ｏ）、起動、またはキーボードからのキーストロークの受信など、基本システム機能のための、不変低レベルシステムコードまたはデータを記憶するように設定され得る。記憶媒体１１２１は、ＲＡＭ、ＲＯＭ、プログラマブル読取り専用メモリ（ＰＲＯＭ）、消去可能プログラマブル読取り専用メモリ（ＥＰＲＯＭ）、電気的消去可能プログラマブル読取り専用メモリ（ＥＥＰＲＯＭ）、磁気ディスク、光ディスク、フロッピーディスク、ハードディスク、リムーバブルカートリッジ、またはフラッシュドライブなど、メモリを含むように設定され得る。一例では、記憶媒体１１２１は、オペレーティングシステム１１２３と、ウェブブラウザアプリケーション、ウィジェットまたはガジェットエンジン、あるいは別のアプリケーションなどのアプリケーションプログラム１１２５と、データファイル１１２７とを含むように設定され得る。記憶媒体１１２１は、ＵＥ１１００による使用のために、多様な様々なオペレーティングシステムまたはオペレーティングシステムの組合せのうちのいずれかを記憶することができる。
【０１１８】
記憶媒体１１２１は、独立ディスクの冗長アレイ（ＲＡＩＤ）、フロッピーディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ）光ディスクドライブ、内蔵ハードディスクドライブ、Ｂｌｕ−Ｒａｙ光ディスクドライブ、ホログラフィックデジタルデータ記憶（ＨＤＤＳ）光ディスクドライブ、外部ミニデュアルインラインメモリモジュール（ＤＩＭＭ）、シンクロナスダイナミックランダムアクセスメモリ（ＳＤＲＡＭ）、外部マイクロＤＩＭＭ  ＳＤＲＡＭ、加入者識別モジュールまたはリムーバブルユーザ識別情報（ＳＩＭ／ＲＵＩＭ）モジュールなどのスマートカードメモリ、他のメモリ、あるいはそれらの任意の組合せなど、いくつかの物理ドライブユニットを含むように設定され得る。記憶媒体１１２１は、ＵＥ１１００が、一時的または非一時的メモリ媒体に記憶されたコンピュータ実行可能命令、アプリケーションプログラムなどにアクセスすること、データをオフロードすること、あるいはデータをアップロードすることを可能および／または容易にすることができる。通信システムを利用する製造品などの製造品は、記憶媒体１１２１中に有形に具現され得、記憶媒体１１２１はデバイス可読媒体を備えることができる。
【０１１９】
図１１では、処理回路１１０１は、通信サブシステム１１３１を使用してネットワーク１１４３ｂと通信するように設定され得る。ネットワーク１１４３ａとネットワーク１１４３ｂとは、同じ１つまたは複数のネットワークまたは異なる１つまたは複数のネットワークであり得る。通信サブシステム１１３１は、ネットワーク１１４３ｂと通信するために使用される１つまたは複数のトランシーバを含むように設定され得る。たとえば、通信サブシステム１１３１は、ＩＥＥＥ８０２．１１、ＣＤＭＡ、ＷＣＤＭＡ、ＧＳＭ、ＬＴＥ、ＵＴＲＡＮ、ＷｉＭａｘなど、１つまたは複数の通信プロトコルに従って、無線アクセスネットワーク（ＲＡＮ）の別のＷＤ、ＵＥ、または基地局など、無線通信が可能な別のデバイスの１つまたは複数のリモートトランシーバと通信するために使用される、１つまたは複数のトランシーバを含むように設定され得る。各トランシーバは、ＲＡＮリンク（たとえば、周波数割り当てなど）に適した送信機機能または受信機機能をそれぞれ実装するための、送信機１１３３および／または受信機１１３５を含むことができる。さらに、各トランシーバの送信機１１３３および受信機１１３５は、回路構成要素、ソフトウェアまたはファームウェアを共有することができるか、あるいは、代替的に、別個に実装され得る。
【０１２０】
示されている実施形態では、通信サブシステム１１３１の通信機能は、データ通信、ボイス通信、マルチメディア通信、Ｂｌｕｅｔｏｏｔｈなどの短距離通信、ニアフィールド通信、ロケーションを決定するための全地球測位システム（ＧＰＳ）の使用などのロケーションベース通信、別の同様の通信機能、またはそれらの任意の組合せを含むことができる。たとえば、通信サブシステム１１３１は、セルラ通信と、Ｗｉ−Ｆｉ通信と、Ｂｌｕｅｔｏｏｔｈ通信と、ＧＰＳ通信とを含むことができる。ネットワーク１１４３ｂは、ローカルエリアネットワーク（ＬＡＮ）、ワイドエリアネットワーク（ＷＡＮ）、コンピュータネットワーク、無線ネットワーク、通信ネットワーク、別の同様のネットワークまたはそれらの任意の組合せなど、有線および／または無線ネットワークを包含することができる。たとえば、ネットワーク１１４３ｂは、セルラネットワーク、Ｗｉ−Ｆｉネットワーク、および／またはニアフィールドネットワークであり得る。電源１１１３は、ＵＥ１１００の構成要素に交流（ＡＣ）または直流（ＤＣ）電力を提供するように設定され得る。
【０１２１】
本明細書で説明される特徴、利益および／または機能は、ＵＥ１１００の構成要素のうちの１つにおいて実装されるか、またはＵＥ１１００の複数の構成要素にわたって区分され得る。さらに、本明細書で説明される特徴、利益、および／または機能は、ハードウェア、ソフトウェアまたはファームウェアの任意の組合せで実装され得る。一例では、通信サブシステム１１３１は、本明細書で説明される構成要素のうちのいずれかを含むように設定され得る。さらに、処理回路１１０１は、バス１１０２上でそのような構成要素のうちのいずれかと通信するように設定され得る。別の例では、そのような構成要素のうちのいずれかは、処理回路１１０１によって実行されたとき、本明細書で説明される対応する機能を実施する、メモリに記憶されたプログラム命令によって表され得る。別の例では、そのような構成要素のうちのいずれかの機能は、処理回路１１０１と通信サブシステム１１３１との間で区分され得る。別の例では、そのような構成要素のうちのいずれかの非計算集約的機能が、ソフトウェアまたはファームウェアで実装され得、計算集約的機能がハードウェアで実装され得る。
【０１２２】
図１２は、いくつかの実施形態によって実装される機能が仮想化され得る、仮想化環境１２００を示す概略ブロック図である。本コンテキストでは、仮想化することは、ハードウェアプラットフォーム、記憶デバイスおよびネットワーキングリソースを仮想化することを含むことができる、装置またはデバイスの仮想バージョンを作成することを意味する。本明細書で使用される仮想化は、ノード（たとえば、仮想化された基地局または仮想化された無線アクセスノード）に、あるいはデバイス（たとえば、ＵＥ、無線デバイスまたは任意の他のタイプの通信デバイス）またはそのデバイスの構成要素に適用され得、機能の少なくとも一部分が、（たとえば、１つまたは複数のネットワークにおいて１つまたは複数の物理処理ノード上で実行する、１つまたは複数のアプリケーション、構成要素、機能、仮想マシンまたはコンテナを介して）１つまたは複数の仮想構成要素として実装される、実装形態に関する。
【０１２３】
いくつかの実施形態では、本明細書で説明される機能の一部または全部は、ハードウェアノード１２３０のうちの１つまたは複数によってホストされる１つまたは複数の仮想環境１２００において実装される１つまたは複数の仮想マシンによって実行される、仮想構成要素として実装され得る。さらに、仮想ノードが、無線アクセスノードではないか、または無線コネクティビティ（たとえば、コアネットワークノード）を必要としない実施形態では、ネットワークノードは完全に仮想化され得る。
【０１２４】
機能は、本明細書で開示される実施形態のうちのいくつかの特徴、機能、および／または利益のうちのいくつかを実装するように動作可能な、（代替的に、ソフトウェアインスタンス、仮想アプライアンス、ネットワーク機能、仮想ノード、仮想ネットワーク機能などと呼ばれることがある）１つまたは複数のアプリケーション１２２０によって実装され得る。アプリケーション１２２０は、処理回路１２６０とメモリ１２９０−１とを備えるハードウェア１２３０を提供する、仮想化環境１２００において稼働される。メモリ１２９０−１は、処理回路１２６０によって実行可能な命令１２９５を含んでおり、それにより、アプリケーション１２２０は、本明細書で開示される特徴、利益、および／または機能のうちの１つまたは複数を提供するように動作可能である。
【０１２５】
仮想化環境１２００は、１つまたは複数のプロセッサのセットまたは処理回路１２６０を備える、汎用または専用のネットワークハードウェアデバイス１２３０を備え、１つまたは複数のプロセッサのセットまたは処理回路１２６０は、商用オフザシェルフ（ＣＯＴＳ）プロセッサ、専用の特定用途向け集積回路（ＡＳＩＣ）、あるいは、デジタルもしくはアナログハードウェア構成要素または専用プロセッサを含む任意の他のタイプの処理回路であり得る。各ハードウェアデバイスはメモリ１２９０−１を備えることができ、メモリ１２９０−１は、処理回路１２６０によって実行される命令１２９５またはソフトウェアを一時的に記憶するための非永続的メモリであり得る。各ハードウェアデバイスは、ネットワークインターフェースカードとしても知られる、１つまたは複数のネットワークインターフェースコントローラ（ＮＩＣ）１２７０を備えることができ、ネットワークインターフェースコントローラ（ＮＩＣ）１２７０は物理ネットワークインターフェース１２８０を含む。各ハードウェアデバイスは、処理回路１２６０によって実行可能なソフトウェア１２９５および／または命令を記憶した、非一時的、永続的、機械可読記憶媒体１２９０−２をも含むことができる。ソフトウェア１２９５は、１つまたは複数の（ハイパーバイザとも呼ばれる）仮想化レイヤ１２５０をインスタンス化するためのソフトウェア、仮想マシン１２４０を実行するためのソフトウェア、ならびに、それが、本明細書で説明されるいくつかの実施形態との関係において説明される機能、特徴および／または利益を実行することを可能にする、ソフトウェアを含む、任意のタイプのソフトウェアを含むことができる。
【０１２６】
仮想マシン１２４０は、仮想処理、仮想メモリ、仮想ネットワーキングまたはインターフェース、および仮想ストレージを備え、対応する仮想化レイヤ１２５０またはハイパーバイザによって稼働され得る。仮想アプライアンス１２２０の事例の異なる実施形態が、仮想マシン１２４０のうちの１つまたは複数上で実装され得、実装は異なるやり方で行われ得る。
【０１２７】
動作中に、処理回路１２６０は、ソフトウェア１２９５を実行してハイパーバイザまたは仮想化レイヤ１２５０をインスタンス化し、ハイパーバイザまたは仮想化レイヤ１２５０は、時々、仮想マシンモニタ（ＶＭＭ）と呼ばれることがある。仮想化レイヤ１２５０は、仮想マシン１２４０に、ネットワーキングハードウェアのように見える仮想動作プラットフォームを提示することができる。
【０１２８】
図１２に示されているように、ハードウェア１２３０は、一般的なまたは特定の構成要素をもつスタンドアロンネットワークノードであり得る。ハードウェア１２３０は、アンテナ１２２２５を備えることができ、仮想化を介していくつかの機能を実装することができる。代替的に、ハードウェア１２３０は、多くのハードウェアノードが協働し、特に、アプリケーション１２２０のライフサイクル管理を監督する、管理およびオーケストレーション（ＭＡＮＯ）１２１００を介して管理される、（たとえば、データセンタまたは顧客構内機器（ＣＰＥ）の場合のような）ハードウェアのより大きいクラスタの一部であり得る。
【０１２９】
ハードウェアの仮想化は、いくつかのコンテキストにおいて、ネットワーク機能仮想化（ＮＦＶ）と呼ばれる。ＮＦＶは、多くのネットワーク機器タイプを、データセンタおよび顧客構内機器中に位置し得る、業界標準高ボリュームサーバハードウェア、物理スイッチ、および物理ストレージ上にコンソリデートするために使用され得る。
【０１３０】
ＮＦＶのコンテキストでは、仮想マシン１２４０は、プログラムを、それらのプログラムが、物理的な仮想化されていないマシン上で実行しているかのように稼働する、物理マシンのソフトウェア実装形態であり得る。仮想マシン１２４０の各々と、その仮想マシンに専用のハードウェアであろうと、および／またはその仮想マシンによって仮想マシン１２４０のうちの他の仮想マシンと共有されるハードウェアであろうと、その仮想マシンを実行するハードウェア１２３０のその一部とは、別個の仮想ネットワークエレメント（ＶＮＥ）を形成する。
【０１３１】
さらにＮＦＶのコンテキストでは、仮想ネットワーク機能（ＶＮＦ）は、ハードウェアネットワーキングインフラストラクチャ１２３０の上の１つまたは複数の仮想マシン１２４０において稼働する固有のネットワーク機能をハンドリングすることを担当し、図１２中のアプリケーション１２２０に対応する。
【０１３２】
いくつかの実施形態では、各々、１つまたは複数の送信機１２２２０と１つまたは複数の受信機１２２１０とを含む、１つまたは複数の無線ユニット１２２００は、１つまたは複数のアンテナ１２２２５に結合され得る。無線ユニット１２２００は、１つまたは複数の適切なネットワークインターフェースを介してハードウェアノード１２３０と直接通信することができ、無線アクセスノードまたは基地局など、無線能力をもつ仮想ノードを提供するために仮想構成要素と組み合わせて使用され得る。
【０１３３】
いくつかの実施形態では、何らかのシグナリングが、ハードウェアノード１２３０と無線ユニット１２２００との間の通信のために代替的に使用され得る制御システム１２２３０によって実現され得る。
【０１３４】
図１３を参照すると、一実施形態によれば、通信システムが、無線アクセスネットワークなどのアクセスネットワーク１３１１とコアネットワーク１３１４とを備える、３ＧＰＰタイプセルラネットワークなどの通信ネットワーク１３１０を含む。アクセスネットワーク１３１１は、ＮＢ、ｅＮＢ、ｇＮＢまたは他のタイプの無線アクセスポイントなど、複数の基地局１３１２ａ、１３１２ｂ、１３１２ｃを備え、各々が、対応するカバレッジエリア１３１３ａ、１３１３ｂ、１３１３ｃを規定する。各基地局１３１２ａ、１３１２ｂ、１３１２ｃは、有線接続または無線接続１３１５上でコアネットワーク１３１４に接続可能である。カバレッジエリア１３１３ｃ中に位置する第１のＵＥ１３９１が、対応する基地局１３１２ｃに無線で接続するか、または対応する基地局１３１２ｃによってページングされるように設定され得る。カバレッジエリア１３１３ａ中の第２のＵＥ１３９２が、対応する基地局１３１２ａに無線で接続可能である。この例では複数のＵＥ１３９１、１３９２が示されているが、開示される実施形態は、唯一のＵＥがカバレッジエリア中にある状況、または、唯一のＵＥが、に接続している状況に、等しく適用可能である。
【０１３５】
通信ネットワーク１３１０は、それ自体、ホストコンピュータ１３３０に接続され、ホストコンピュータ１３３０は、スタンドアロンサーバ、クラウド実装サーバ、分散サーバのハードウェアおよび／またはソフトウェアにおいて、あるいはサーバファーム中の処理リソースとして具現され得る。ホストコンピュータ１３３０は、サービスプロバイダの所有または制御下にあり得、あるいはサービスプロバイダによってまたはサービスプロバイダに代わって動作され得る。通信ネットワーク１３１０とホストコンピュータ１３３０との間の接続１３２１および１３２２は、コアネットワーク１３１４からホストコンピュータ１３３０に直接延びることができるか、または随意の中間ネットワーク１３２０を介して進むことができる。中間ネットワーク１３２０は、パブリックネットワーク、プライベートネットワーク、またはホストされたネットワークのうちの１つ、またはそれらのうちの２つ以上の組合せであり得、中間ネットワーク１３２０は、もしあれば、バックボーンネットワークまたはインターネットであり得、特に、中間ネットワーク１３２０は、２つまたはそれ以上のサブネットワーク（図示せず）を備えることができる。
【０１３６】
図１３の通信システムは全体として、接続されたＵＥ１３９１、１３９２とホストコンピュータ１３３０との間のコネクティビティを可能にする。コネクティビティは、オーバーザトップ（ＯＴＴ）接続１３５０として説明され得る。ホストコンピュータ１３３０および接続されたＵＥ１３９１、１３９２は、アクセスネットワーク１３１１、コアネットワーク１３１４、任意の中間ネットワーク１３２０、および考えられるさらなるインフラストラクチャ（図示せず）を媒介として使用して、ＯＴＴ接続１３５０を介して、データおよび／またはシグナリングを通信するように設定される。ＯＴＴ接続１３５０は、ＯＴＴ接続１３５０が通過する、参加する通信デバイスが、アップリンクおよびダウンリンク通信のルーティングに気づいていないという意味で、透過的であり得る。たとえば、基地局１３１２は、接続されたＵＥ１３９１にフォワーディング（たとえば、ハンドオーバ）されるべき、ホストコンピュータ１３３０から発生したデータを伴う着信ダウンリンク通信の過去のルーティングについて、通知されないことがあるかまたは通知される必要がない。同様に、基地局１３１２は、ＵＥ１３９１から発生してホストコンピュータ１３３０に向かう発信アップリンク通信の将来のルーティングに気づいている必要がない。
【０１３７】
次に、一実施形態による、前の段落において説明されたＵＥ、基地局およびホストコンピュータの例示的な実装形態が、図１４を参照しながら説明される。通信システム１４００では、ホストコンピュータ１４１０が、通信システム１４００の異なる通信デバイスのインターフェースとの有線接続または無線接続をセットアップおよび維持するように設定された通信インターフェース１４１６を含む、ハードウェア１４１５を備える。ホストコンピュータ１４１０は、記憶能力および／または処理能力を有することができる、処理回路１４１８をさらに備える。特に、処理回路１４１８は、命令を実行するように適応された、１つまたは複数のプログラマブルプロセッサ、特定用途向け集積回路、フィールドプログラマブルゲートアレイ、またはこれらの組合せ（図示せず）を備えることができる。ホストコンピュータ１４１０は、ホストコンピュータ１４１０に記憶されるかまたはホストコンピュータ１４１０によってアクセス可能であり、処理回路１４１８によって実行可能である、ソフトウェア１４１１をさらに備える。ソフトウェア１４１１は、ホストアプリケーション１４１２を含む。ホストアプリケーション１４１２は、ＵＥ１４３０およびホストコンピュータ１４１０において終端するＯＴＴ接続１４５０を介して接続するＵＥ１４３０など、リモートユーザにサービスを提供するように動作可能であり得る。リモートユーザにサービスを提供する際に、ホストアプリケーション１４１２は、ＯＴＴ接続１４５０を使用して送信されるユーザデータを提供することができる。
【０１３８】
通信システム１４００は、通信システム中に提供される基地局１４２０をも含むことができ、基地局１４２０は、基地局１４２０がホストコンピュータ１４１０およびＵＥ１４３０と通信することを可能にするハードウェア１４２５を備える。ハードウェア１４２５は、通信システム１４００の異なる通信デバイスのインターフェースとの有線接続または無線接続をセットアップおよび維持するための通信インターフェース１４２６、ならびに基地局１４２０によってサーブされるカバレッジエリア（図１４に図示せず）中に位置するＵＥ１４３０との少なくとも無線接続１４７０をセットアップおよび維持するための無線インターフェース１４２７を含むことができる。通信インターフェース１４２６は、ホストコンピュータ１４１０への接続１４６０を容易にするように設定され得る。接続１４６０は直接であり得るか、あるいは、接続１４６０は、通信システムのコアネットワーク（図１４に図示せず）を、および／または通信システムの外部の１つまたは複数の中間ネットワークを通過することができる。図示の実施形態では、基地局１４２０のハードウェア１４２５は、処理回路１４２８をも含むことができ、処理回路１４２８は、命令を実行するように適応された、１つまたは複数のプログラマブルプロセッサ、特定用途向け集積回路、フィールドプログラマブルゲートアレイ、またはこれらの組合せ（図示せず）を備えることができる。基地局１４２０は、内部的に記憶されるかまたは外部接続を介してアクセス可能なソフトウェア１４２１をさらに有する。
【０１３９】
通信システム１４００は、すでに言及されたＵＥ１４３０をも含むことができる。ＵＥ１４３０のハードウェア１４３５は、ＵＥ１４３０が現在位置するカバレッジエリアをサーブする基地局との無線接続１４７０をセットアップおよび維持するように設定された、無線インターフェース１４３７を含むことができる。ＵＥ１４３０のハードウェア１４３５は、処理回路１４３８をも含むことができ、処理回路１４３８は、命令を実行するように適応された、１つまたは複数のプログラマブルプロセッサ、特定用途向け集積回路、フィールドプログラマブルゲートアレイ、またはこれらの組合せ（図示せず）を備えることができる。ＵＥ１４３０は、ＵＥ１４３０に記憶されるかまたはＵＥ１４３０によってアクセス可能であり、処理回路１４３８によって実行可能である、ソフトウェア１４３１をさらに備える。ソフトウェア１４３１はクライアントアプリケーション１４３２を含む。クライアントアプリケーション１４３２は、ホストコンピュータ１４１０のサポートのもとに、ＵＥ１４３０を介して人間のまたは人間でないユーザにサービスを提供するように動作可能であり得る。ホストコンピュータ１４１０では、実行しているホストアプリケーション１４１２は、ＵＥ１４３０およびホストコンピュータ１４１０において終端するＯＴＴ接続１４５０を介して、実行しているクライアントアプリケーション１４３２と通信することができる。ユーザにサービスを提供する際に、クライアントアプリケーション１４３２は、ホストアプリケーション１４１２から要求データを受信し、要求データに応答してユーザデータを提供することができる。ＯＴＴ接続１４５０は、要求データとユーザデータの両方を転送することができる。クライアントアプリケーション１４３２は、クライアントアプリケーション１４３２が提供するユーザデータを生成するためにユーザと対話することができる。
【０１４０】
図１４に示されているホストコンピュータ１４１０、基地局１４２０およびＵＥ１４３０は、それぞれ、図１３のホストコンピュータ１３３０、基地局１３１２ａ、１３１２ｂ、１３１２ｃのうちの１つ、およびＵＥ１３９１、１３９２のうちの１つと同様または同等であり得ることに留意されたい。つまり、これらのエンティティの内部の働きは、図１４に示されているようなものであり得、別個に、周囲のネットワークトポロジーは、図１３のものであり得る。
【０１４１】
図１４では、ＯＴＴ接続１４５０は、仲介デバイスとこれらのデバイスを介したメッセージの正確なルーティングとへの明示的言及なしに、基地局１４２０を介したホストコンピュータ１４１０とＵＥ１４３０との間の通信を示すために抽象的に描かれている。ネットワークインフラストラクチャが、ルーティングを決定することができ、ネットワークインフラストラクチャは、ＵＥ１４３０からまたはホストコンピュータ１４１０を動作させるサービスプロバイダから、またはその両方からルーティングを隠すように設定され得る。ＯＴＴ接続１４５０がアクティブである間、ネットワークインフラストラクチャは、さらに、ネットワークインフラストラクチャが（たとえば、ネットワークの負荷分散考慮または再設定に基づいて）ルーティングを動的に変更する判定を行うことができる。
【０１４２】
ＵＥ１４３０と基地局１４２０との間の無線接続１４７０は、本開示全体にわたって説明される実施形態の教示に従う。様々な実施形態のうちの１つまたは複数は、無線接続１４７０が最後のセグメントを形成するＯＴＴ接続１４５０を使用して、ＵＥ１４３０に提供されるＯＴＴサービスの性能を改善する。より正確には、本明細書で開示される例示的な実施形態は、ネットワークが、データフローのエンドツーエンドサービス品質（ＱｏＳ）を監視するためのフレキシビリティを改善することができ、それには、ユーザ機器（ＵＥ）と、５Ｇネットワークの外部のＯＴＴデータアプリケーションまたはサービスなどの別のエンティティとの間のデータセッションに関連する、データフローの対応する無線ベアラが含まれる。これらおよび他の利点は、５Ｇ／ＮＲソリューションのより適時の設計、実装、および展開を容易にすることができる。さらに、そのような実施形態は、データセッションＱｏＳのフレキシブルおよび適時の制御を容易にすることができ、これは、５Ｇ／ＮＲによって想定される、およびＯＴＴサービスの成長のために重要である、容量、スループット、レイテンシなどの改善につながることができる。
【０１４３】
１つまたは複数の実施形態が改善する、データレート、レイテンシおよび他のネットワーク動作態様を監視する目的での、測定プロシージャが提供され得る。測定結果の変動に応答して、ホストコンピュータ１４１０とＵＥ１４３０との間のＯＴＴ接続１４５０を再設定するための随意のネットワーク機能がさらにあり得る。測定プロシージャおよび／またはＯＴＴ接続１４５０を再設定するためのネットワーク機能は、ホストコンピュータ１４１０のソフトウェア１４１１およびハードウェア１４１５でまたはＵＥ１４３０のソフトウェア１４３１およびハードウェア１４３５で、またはその両方で実装され得る。実施形態では、ＯＴＴ接続１４５０が通過する通信デバイスにおいてまたはそれに関連して、センサー（図示せず）が展開され得、センサーは、上記で例示された監視された量の値を供給すること、またはソフトウェア１４１１、１４３１が監視された量を算出または推定することができる他の物理量の値を供給することによって、測定プロシージャに参加することができる。ＯＴＴ接続１４５０の再設定は、メッセージフォーマット、再送信セッティング、好ましいルーティングなどを含むことができ、再設定は、基地局１４２０に影響を及ぼす必要がなく、再設定は、基地局１４２０に知られていないかまたは知覚不可能であり得る。そのようなプロシージャおよび機能は、当技術分野において知られ、実践され得る。いくつかの実施形態では、測定は、スループット、伝搬時間、レイテンシなどのホストコンピュータ１４１０の測定を容易にするプロプライエタリＵＥシグナリングを伴うことができる。測定は、ソフトウェア１４１１および１４３１が、ソフトウェア１４１１および１４３１が伝搬時間、エラーなどを監視する間にＯＴＴ接続１４５０を使用して、メッセージ、特に空のまたは「ダミー」メッセージが送信されることを引き起こすことにおいて、実装され得る。
【０１４４】
図１５は、一実施形態による、通信システムにおいて実装される例示的な方法および／またはプロシージャを示すフローチャートである。通信システムは、いくつかの例示的な実施形態では、図１３および図１４を参照しながら説明されたものであり得る、ホストコンピュータと基地局とＵＥとを含む。本開示の簡単のために、図１５への図面参照のみがこのセクションに含まれる。ステップ１５１０において、ホストコンピュータはユーザデータを提供する。ステップ１５１０の（随意であり得る）サブステップ１５１１において、ホストコンピュータは、ホストアプリケーションを実行することによって、ユーザデータを提供する。ステップ１５２０において、ホストコンピュータは、ＵＥにユーザデータを搬送する送信を開始する。（随意であり得る）ステップ１５３０において、基地局は、本開示全体にわたって説明される実施形態の教示に従って、ホストコンピュータが開始した送信において搬送されたユーザデータをＵＥに送信する。（また、随意であり得る）ステップ１５４０において、ＵＥは、ホストコンピュータによって実行されるホストアプリケーションに関連するクライアントアプリケーションを実行する。
【０１４５】
図１６は、一実施形態による、通信システムにおいて実装される例示的な方法および／またはプロシージャを示すフローチャートである。通信システムは、図１３および図１４を参照しながら説明されたものであり得る、ホストコンピュータと基地局とＵＥとを含む。本開示の簡単のために、図１６への図面参照のみがこのセクションに含まれる。方法のステップ１６１０において、ホストコンピュータはユーザデータを提供する。随意のサブステップ（図示せず）において、ホストコンピュータは、ホストアプリケーションを実行することによって、ユーザデータを提供する。ステップ１６２０において、ホストコンピュータは、ＵＥにユーザデータを搬送する送信を開始する。送信は、本開示全体にわたって説明される実施形態の教示に従って、基地局を介して通ることができる。（随意であり得る）ステップ１６３０おいて、ＵＥは、送信において搬送されたユーザデータを受信する。
【０１４６】
図１７は、一実施形態による、通信システムにおいて実装される例示的な方法および／またはプロシージャを示すフローチャートである。通信システムは、図１３および図１４を参照しながら説明されたものであり得る、ホストコンピュータと基地局とＵＥとを含む。本開示の簡単のために、図１７への図面参照のみがこのセクションに含まれる。（随意であり得る）ステップ１７１０において、ＵＥは、ホストコンピュータによって提供された入力データを受信する。追加または代替として、ステップ１７２０において、ＵＥはユーザデータを提供する。ステップ１７２０の（随意であり得る）サブステップ１７２１において、ＵＥは、クライアントアプリケーションを実行することによって、ユーザデータを提供する。ステップ１７１０の（随意であり得る）サブステップ１７１１において、ＵＥは、ホストコンピュータによって提供された受信された入力データに反応してユーザデータを提供する、クライアントアプリケーションを実行する。ユーザデータを提供する際に、実行されたクライアントアプリケーションは、ユーザから受信されたユーザ入力をさらに考慮することができる。ユーザデータが提供された特定の様式にかかわらず、ＵＥは、（随意であり得る）サブステップ１７３０において、ホストコンピュータへのユーザデータの送信を開始する。方法のステップ１７４０において、ホストコンピュータは、本開示全体にわたって説明される実施形態の教示に従って、ＵＥから送信されたユーザデータを受信する。
【０１４７】
図１８は、一実施形態による、通信システムにおいて実装される例示的な方法および／またはプロシージャを示すフローチャートである。通信システムは、図１３および図１４を参照しながら説明されたものであり得る、ホストコンピュータと基地局とＵＥとを含む。本開示の簡単のために、図１８への図面参照のみがこのセクションに含まれる。（随意であり得る）ステップ１８１０において、本開示全体にわたって説明される実施形態の教示に従って、基地局は、ＵＥからユーザデータを受信する。（随意であり得る）ステップ１８２０において、基地局は、ホストコンピュータへの、受信されたユーザデータの送信を開始する。（随意であり得る）ステップ１８３０において、ホストコンピュータは、基地局によって開始された送信において搬送されたユーザデータを受信する。
【０１４８】
上記は、本開示の原理を示すにすぎない。本明細書の教示に鑑みて、説明される実施形態の様々な変更および改変が当業者に明らかになろう。したがって、本明細書で明示的に示されず、または説明されないが、本開示の原理を具現し、したがって、本開示の趣旨および範囲内にあり得る、多数のシステム、構成、およびプロシージャを、当業者は考案することができることが諒解されよう。当業者によって理解されるべきであるように、様々な例示的な実施形態が、互いに一緒に、ならびに互いに互換的に使用され得る。
【０１４９】
本明細書で使用されるユニットという用語は、エレクトロニクス、電気デバイス、および／または電子デバイスの分野での通常の意味を有することができ、たとえば、本明細書で説明されるものなど、それぞれのタスク、プロシージャ、算出、出力、および／または表示機能を行うための、電気および／または電子回路、デバイス、モジュール、プロセッサ、メモリ、論理固体および／または個別デバイス、コンピュータプログラムまたは命令などを含むことができる。
【０１５０】
本明細書で開示される任意の適切なステップ、方法、特徴、機能、または利益は、１つまたは複数の仮想装置の１つまたは複数の機能ユニットまたはモジュールを通して実施され得る。各仮想装置は、いくつかのこれらの機能ユニットを備え得る。これらの機能ユニットは、１つまたは複数のマイクロプロセッサまたはマイクロコントローラを含み得る、処理回路、ならびに、デジタル信号プロセッサ（ＤＳＰ）、専用デジタル論理などを含み得る、他のデジタルハードウェアを介して実装され得る。処理回路は、読取り専用メモリ（ＲＯＭ）、ランダムアクセスメモリ（ＲＡＭ）、キャッシュメモリ、フラッシュメモリデバイス、光記憶デバイスなど、１つまたはいくつかのタイプのメモリを含み得る、メモリに記憶されたプログラムコードを実行するように設定され得る。メモリに記憶されたプログラムコードは、１つまたは複数の通信および／またはデータ通信プロトコルを実行するためのプログラム命令、ならびに本明細書で説明される技法のうちの１つまたは複数を行うための命令を含む。いくつかの実装形態では、処理回路は、それぞれの機能ユニットに、本開示の１つまたは複数の実施形態による、対応する機能を実施させるために使用され得る。
【０１５１】
本明細書で説明されるように、デバイスおよび／または装置が、半導体チップ、チップセット、あるいはそのようなチップまたはチップセットを備える（ハードウェア）モジュールによって表され得るが、これは、デバイスまたは装置の機能が、ハードウェア実装される代わりに、プロセッサ上での実行のためのまたはプロセッサ上で稼働されている実行可能ソフトウェアコード部分を備えるコンピュータプログラムまたはコンピュータプログラム製品などのソフトウェアモジュールとして実装される可能性を、除外しない。さらに、デバイスまたは装置の機能は、ハードウェアとソフトウェアとの任意の組合せによって実装され得る。デバイスまたは装置はまた、機能的に互いと協働するのか互いとは無関係であるのかにかかわらず、複数のデバイスおよび／または装置のアセンブリと見なされ得る。その上、デバイスおよび装置は、デバイスまたは装置の機能が保持される限り、システム全体にわたって分散して実装され得る。そのようなおよび同様の原理は当業者に知られていると見なされる。
【０１５２】
別段に規定されていない限り、本明細書で使用される（技術用語および科学用語を含む）すべての用語は、本開示が属する技術の当業者によって通常理解されるものと同じ意味を有する。本明細書で使用される用語は、本明細書および関連技術の文脈におけるそれらの用語の意味に従う意味を有するものとして解釈されるべきであり、明確にそのように本明細書で規定されていない限り、理想的なまたは過度に形式的な意味において解釈されないことをさらに理解されよう。
【０１５３】
さらに、その明細書、図面、および例示的な実施形態を含む、本開示で使用されるいくつかの用語は、限定はしないが、たとえば、データおよび情報を含めて、いくつかの事例では同義的に使用され得る。互いに同義であり得るこれらの単語および／または他の単語が本明細書で同義的に使用され得るが、そのような単語が同義的に使用されないことが意図され得る事例があり得ることを、理解されたい。さらに、従来技術の知識が上記で参照により本明細書に明示的に組み込まれていない限り、従来技術の知識は、その全体が本明細書に明示的に組み込まれる。参照されるすべての刊行物は、その全体が参照により本明細書に組み込まれる。
【０１５４】
本明細書で説明される技法および装置の例示的な実施形態は、限定はしないが、以下の列挙された例を含む。
１．  無線アクセスネットワーク（ＲＡＮ）におけるセルにおいてランダムアクセス（ＲＡ）プロシージャを実施するユーザ機器（ＵＥ）からのダウンリンク（ＤＬ）チャネル品質報告をスケジュールするために、セルを提供するように設定されたネットワークノードのための方法であって、方法は、
ネットワークノードが、ＲＡプロシージャの特定のメッセージ中にＤＬチャネル品質を報告するようにセルにおいてＲＡプロシージャを実施するＵＥに要求し得るかどうかを示す第１のインジケータを送信することと、
特定のＵＥがセルにおいてＲＡプロシージャを開始したと決定することと、
ＵＥにＲＡ応答を送信することであって、
ＲＡ応答は、ネットワークノードが、ＵＥが第１のカバレッジモードにおいて動作するように設定されたと決定した場合、第２のインジケータを含み、第２のインジケータは、ＵＥが特定のメッセージ中にＤＬチャネル品質を報告するように要求されるかどうかを示し、
ＲＡ応答は、ネットワークノードが、ＵＥが第２のカバレッジモードにおいて動作するように設定されたと決定した場合、第２のインジケータを含まない、ＲＡ応答を送信することと、
ＵＥから特定のメッセージを受信することであって、特定のメッセージがＤＬチャネル品質報告を含むかどうかは、第１のインジケータと、設定されたカバレッジモードと、ＲＡ応答のコンテンツとに依存する、特定のメッセージを受信することと
を含む、方法。
２．  第１のインジケータが、ネットワークノードによってブロードキャストされたシステム情報中で送信される、実施形態１に記載の方法。
３．  第１のインジケータがＲＡ応答中で送信される、実施形態１に記載の方法。
４．  ＲＡＮがＬｏｎｇ−Ｔｅｒｍ  Ｅｖｏｌｕｔｉｏｎ（ＬＴＥ）ネットワークであり、特定のメッセージがＬＴＥ  ＲＡプロシージャのＭｓｇ３である、実施形態１から３のいずれか１つに記載の方法。
５．  ＲＡＲ応答は、ＵＥが特定のメッセージ中に早期データ送信（ＥＤＴ）を実施するべきであるか否かの第３のインジケータをさらに含み、
ネットワークノードが、ＵＥが第２のカバレッジモードにあると決定し、ＥＤＴインジケータが、ＵＥがＥＤＴを実施するべきであることを示した場合、ネットワークノードは、特定のメッセージ中のＤＬチャネル品質を受信する、
実施形態１から４のいずれか１つに記載の方法。
６．  ネットワークノードは、第３のインジケータが、ＵＥが特定のメッセージ中にＥＤＴを実施するべきであることを示した場合、特定のメッセージ中のＤＬチャネル品質報告を受信する、実施形態５に記載の方法。
７．  ネットワークノードが、特定のメッセージ中に早期データ送信（ＥＤＴ）を実施するようにセルにおいてＲＡプロシージャを実施するＵＥに要求し得るかどうかを示す第４のインジケータを送信することをさらに含む、実施形態９から１３のいずれか１つに記載の方法。
８．  第４のインジケータが、ネットワークノードが、ＥＤＴを実施するようにセルにおいてＲＡプロシージャを実施するＵＥに要求し得ることを示した場合、ネットワークノードは、第２のインジケータが、ＲＡ応答中に含まれ、ＵＥが特定のメッセージ中にＤＬチャネル品質報告を含めるべきでないことを示すのでない限り、特定のメッセージ中のＤＬチャネル品質報告を受信する、実施形態７に記載の方法。
９．  無線アクセスネットワーク（ＲＡＮ）におけるネットワークノードによって提供されるセルにおけるランダムアクセス（ＲＡ）プロシージャ中にダウンリンク（ＤＬ）チャネル品質報告を提供するために、カバレッジモードにおいて動作するように設定されたユーザ機器（ＵＥ）のための方法であって、方法は、
ネットワークノードから、ネットワークノードが、ＲＡプロシージャの特定のメッセージ中にＤＬチャネル品質を報告するようにセルにおいてＲＡプロシージャを実施するＵＥに要求し得るかどうかを示す第１のインジケータを受信することと、
ＲＡプロシージャを開始することと、
ネットワークノードからＲＡ応答を受信することであって、
ＲＡ応答は、ＵＥが第１のカバレッジモードにおいて動作するように設定された場合、第２のインジケータを含み、第２のインジケータは、ＵＥが特定のメッセージ中にＤＬチャネル品質を報告するように要求されるかどうかを示し、
ＲＡ応答は、ＵＥが第２のカバレッジモードにおいて動作するように設定された場合、第２のインジケータを含まない、ＲＡ応答を受信することと、
第１のインジケータと、設定されたカバレッジモードと、ＲＡ応答のコンテンツとに基づいて、特定のメッセージ中にＤＬチャネル品質報告を含めるべきかどうかを決定することと、
ネットワークノードに特定のメッセージを送信することと
を含む、方法。
１０．  第１のインジケータが、ネットワークノードによってブロードキャストされたシステム情報中で受信される、実施形態９に記載の方法。
１１．  第１のインジケータがＲＡ応答中で受信される、実施形態９に記載の方法。
１２．  ＲＡＮがＬｏｎｇ−Ｔｅｒｍ  Ｅｖｏｌｕｔｉｏｎ（ＬＴＥ）ネットワークであり、特定のメッセージがＬＴＥ  ＲＡプロシージャのＭｓｇ３である、実施形態９から１１のいずれか１つに記載の方法。
１３．  ＲＡプロシージャを開始した後に、ただしＲＡ応答を受信する前に、ＤＬチャネル品質測定を開始することをさらに備える、実施形態９から１２のいずれか１つに記載の方法。
１４．  ＲＡＲ応答は、ＵＥが特定のメッセージ中に早期データ送信（ＥＤＴ）を実施するべきであるか否かの第３のインジケータをさらに含み、
ＵＥが第２のカバレッジモードにあり、ＥＤＴインジケータが、ＵＥがＥＤＴを実施するべきであることを示した場合、ＵＥは、特定のメッセージ中にＤＬチャネル品質報告を含めることを決定する、
実施形態９から１３のいずれか１つに記載の方法。
１５．  ＵＥは、第３のインジケータが、ＵＥが特定のメッセージ中にＥＤＴを実施するべきであることを示した場合、特定のメッセージ中にＤＬチャネル品質報告を含めることを決定する、実施形態１４に記載の方法。
１６．  ネットワークノードから、特定のメッセージ中に早期データ送信（ＥＤＴ）を実施するようにセルにおいてＲＡプロシージャを実施するＵＥに要求し得るかどうかを示す第４のインジケータを受信することをさらに含む、実施形態９から１３のいずれか１つに記載の方法。
１７．  第４のインジケータが、ネットワークノードによってブロードキャストされたシステム情報中で受信される、実施形態１６に記載の方法。
１８．  第４のインジケータが、ネットワークノードが、ＥＤＴを実施するようにセルにおいてＲＡプロシージャを実施するＵＥに要求し得ることを示した場合、ＵＥは、第２のインジケータが、ＲＡ応答中に含まれ、ＵＥが特定のメッセージ中にＤＬチャネル品質報告を含めるべきでないことを示すのでない限り、特定のメッセージ中にＤＬチャネル品質報告を含めることを決定する、実施形態１６または１７に記載の方法。
１９．  無線アクセスネットワーク（ＲＡＮ）におけるセルを提供し、セルにおいてランダムアクセス（ＲＡ）プロシージャを実施するユーザ機器（ＵＥ）からのダウンリンク（ＤＬ）チャネル品質報告をスケジュールするように設定されたネットワークノードであって、ネットワークノードが、
通信インターフェースと、
通信インターフェースに動作可能に結合され、実施形態１から８のいずれか１つに記載の動作を実施するように設定された、処理回路と、
ネットワークノードに電力を供給するように設定された電力供給回路と
を備える、ネットワークノード。
２０．  カバレッジモードにおいて動作し、無線アクセスネットワーク（ＲＡＮ）におけるネットワークノードによって提供されるセルにおけるランダムアクセス（ＲＡ）プロシージャ中にダウンリンク（ＤＬ）チャネル品質報告を提供するように設定されたユーザ機器（ＵＥ）であって、ＵＥが、
通信インターフェースと、
通信インターフェースに動作可能に結合され、実施形態９から１８のいずれか１つに記載の動作を実施するように設定された、処理回路と、
ＵＥに電力を供給するように設定された電力供給回路と
を備える、ユーザ機器（ＵＥ）。
２１．  ホストコンピュータを含む通信システムであって、
ユーザデータを提供するように設定された処理回路と、
ユーザ機器（ＵＥ）への送信のためにユーザデータをセルラネットワークにフォワーディングするように設定された通信インターフェースとを備え、セルラネットワークが、無線インターフェースと処理回路とを有する基地局を備え、基地局の処理回路が、実施形態１から８を含む動作のいずれかを実施するように設定された、
通信システム。
２２．  基地局をさらに含む、実施形態２１に記載の通信システム。
２３．  ＵＥをさらに含み、ＵＥが、基地局と通信し、実施形態９から１８を含む動作のうちのいずれかを協働的に実施するように設定された、無線インターフェースと処理回路とを含む、実施形態２１または２２に記載の通信システム。
２４．  ホストコンピュータの処理回路が、ホストアプリケーションを実行し、それによりユーザデータを提供するように設定され、
ＵＥの処理回路が、ホストアプリケーションに関連するクライアントアプリケーションを実行するようにさらに設定された、
実施形態２１から２３のいずれか１つに記載の通信システム。
２５．  ホストコンピュータと、基地局と、ユーザ機器（ＵＥ）とを含む通信システムにおいて実装される方法であって、方法が、
ホストコンピュータにおいて、ユーザデータを提供することと、
ホストコンピュータにおいて、基地局を備えるセルラネットワークを介してＵＥにユーザデータを搬送する送信を開始することと、
基地局において、実施形態１から８のいずれか１つに対応する動作を実施することと
を含む、方法。
２６．  基地局においてユーザデータを送信することをさらに含む、実施形態２５に記載の方法。
２７．  ユーザデータが、ホストコンピュータにおいて、ホストアプリケーションを実行することによって提供され、方法が、ＵＥにおいて、ホストアプリケーションに関連するクライアントアプリケーションを実行することをさらに含む、実施形態２５または２６に記載の方法。
２８．  ＵＥにおいて、実施形態９から１８のいずれか１つに対応する動作を実施することをさらに含む、実施形態２５から２７のいずれか１つに記載の方法。
２９．  ホストコンピュータを含む通信システムであって、ホストコンピュータは、ユーザ機器（ＵＥ）から基地局への送信から発生したユーザデータを受信するように設定された通信インターフェースを備え、基地局は、基地局と通信し、実施形態１から８のいずれか１つに記載の動作を協働的に実施するように設定された、無線インターフェースと処理回路とを備える、通信システム。
３０．  基地局をさらに含む、実施形態２９に記載の通信システム。
３１．  ＵＥをさらに含み、ＵＥが、基地局と通信し、実施形態９から１８を含む動作のうちのいずれかを実施するように設定された、無線インターフェースと処理回路とを含む、実施形態２９または３０に記載の通信システム。
３３．  ホストコンピュータの処理回路が、ホストアプリケーションを実行するように設定され、
ＵＥが、ホストアプリケーションに関連するクライアントアプリケーションを実行し、それによりホストコンピュータによって受信されるべきユーザデータを提供するようにさらに設定された、
実施形態２９から３１に記載の通信システム。
３４．  無線アクセスネットワーク（ＲＡＮ）におけるセルを提供するネットワークノードを備える処理ユニットによって実行されたとき、ネットワークノードを、実施形態１から８のいずれか１つに記載の方法のいずれかに対応する動作を実施するように設定するコンピュータ実行可能命令を記憶する非一時的コンピュータ可読媒体。
３５．  無線アクセスネットワーク（ＲＡＮ）におけるセルでランダムアクセス（ＲＡ）プロシージャを実施するように設定されたユーザ機器（ＵＥ）を備える処理ユニットによって実行されたとき、ＵＥを、実施形態９から１８のいずれか１つに記載の方法のいずれかに対応する動作を実施するように設定するコンピュータ実行可能命令を記憶する非一時的コンピュータ可読媒体。
【図１】
2021533651.tif 000003
【図２Ａ】
2021533651.tif 000004
【図２Ｂ】
2021533651.tif 000005
【図２Ｃ】
2021533651.tif 000006
【図３】
2021533651.tif 000007
【図４】
2021533651.tif 000008
【図５Ａ】
2021533651.tif 000009
【図５Ｂ】
2021533651.tif 000010
【図６Ａ】
2021533651.tif 000011
【図６Ｂ】
2021533651.tif 000012
【図７Ａ】
2021533651.tif 000013
【図７Ｂ】
2021533651.tif 000014
【図８】
2021533651.tif 000015
【図９】
2021533651.tif 000016
【図１０】
2021533651.tif 000017
【図１１】
2021533651.tif 000018
【図１２】
2021533651.tif 000019
【図１３】
2021533651.tif 000020
【図１４】
2021533651.tif 000021
【図１５】
2021533651.tif 000022
【図１６】
2021533651.tif 000023
【図１７】
2021533651.tif 000024
【図１８】
2021533651.tif 000025
【手続補正書】
【提出日】令和3年4月14日(2021.4.14)
【手続補正１】
【補正対象書類名】特許請求の範囲
【補正対象項目名】全文
【補正方法】変更
【補正の内容】
【特許請求の範囲】
【請求項１】
Ｌｏｎｇ−Ｔｅｒｍ  Ｅｖｏｌｕｔｉｏｎ（ＬＴＥ）無線アクセスネットワーク（ＲＡＮ）におけるネットワークノードによって提供されるセルにおけるランダムアクセス（ＲＡ）プロシージャ中にダウンリンク（ＤＬ）チャネル品質報告を提供するように設定されたユーザ機器（ＵＥ）のための方法であって、前記方法は、
前記ネットワークノードから、前記ＵＥが前記ＲＡプロシージャのＭｓｇ３中でＤＬチャネル品質を報告しなければならないことがあり得ることを示す第１のインジケータを受信すること（８１０）と、
前記ＲＡプロシージャを開始すること（８３０）と、
前記ネットワークノードから、前記Ｍｓｇ３の送信のためのリソースのアップリンクグラントを含むＲＡ応答を受信すること（８５０）であって、前記アップリンクグラントは、トランスポートブロックサイズ（ＴＢＳ）を示す、受信すること（８５０）と、
前記第１のインジケータと前記ＲＡ応答のコンテンツとに基づいて前記Ｍｓｇ３中にＤＬチャネル品質報告を含めるべきかどうかを決定すること（８６０）であって、前記ＤＬチャネル品質報告は、示された前記ＴＢＳが前記ＤＬチャネル品質報告を搬送するのに十分に大きいとき、含められるべきと決定される（８６２）、決定すること（８６０）と
を含む、方法。
【請求項２】
前記第１のインジケータに基づいてＤＬチャネル品質測定を開始すること（８４０）をさらに含む、請求項１に記載の方法。
【請求項３】
前記ＤＬチャネル品質測定が、前記ＲＡ応答を受信する前に開始される、請求項２に記載の方法。
【請求項４】
前記第１のインジケータが、前記セルにおいてブロードキャストされたシステム情報と、前記ＲＡ応答とのうちの１つ中で受信される、請求項１から３のいずれか一項に記載の方法。
【請求項５】
前記ＲＡ応答は、前記ＵＥが前記Ｍｓｇ３中に早期データ送信（ＥＤＴ）を実施するべきであるか否かを示す第２のインジケータを含み、
前記ＤＬチャネル品質報告は、前記第２のインジケータが、前記ＵＥが前記Ｍｓｇ３中にＥＤＴを実施するべきであることを示すとき、含められるべきと決定される、
請求項１から４のいずれか一項に記載の方法。
【請求項６】
前記セルにおいてブロードキャストされたシステム情報を介して、前記ネットワークノードが、前記Ｍｓｇ３中に早期データ送信（ＥＤＴ）を実施するように前記セルにおいて前記ＲＡプロシージャを実施するＵＥに要求し得るか否かを示す第３のインジケータを受信すること（８２０）をさらに含む、請求項１から５のいずれか一項に記載の方法。
【請求項７】
前記ネットワークノードに前記Ｍｓｇ３を送信すること（８７０）であって、前記Ｍｓｇ３が、前記決定の結果に基づいて、ＤＬチャネル品質報告を条件付きで含む、前記特定のメッセージを送信すること（８７０）をさらに含む、請求項１から６のいずれか一項に記載の方法。
【請求項８】
Ｌｏｎｇ−Ｔｅｒｍ  Ｅｖｏｌｕｔｉｏｎ（ＬＴＥ）無線アクセスネットワーク（ＲＡＮ）におけるセルにおいてランダムアクセス（ＲＡ）プロシージャを実施するユーザ機器（ＵＥ）からのダウンリンク（ＤＬ）チャネル品質報告を可能にするために、前記セルを提供するように設定されたネットワークノードのための方法であって、前記方法は、
前記セルにおいて、前記ＵＥが前記ＲＡプロシージャのＭｓｇ３中でＤＬチャネル品質を報告しなければならないことがあり得ることを示す第１のインジケータを送信すること（９１０）と、
特定のＵＥが前記セルにおいて前記ＲＡプロシージャを開始したと決定すること（９３０）と、
前記特定のＵＥに、前記Ｍｓｇ３の送信のためのリソースのアップリンクグラントを含むＲＡ応答を送信すること（９４０）であって、前記アップリンクグラントは、トランスポートブロックサイズ（ＴＢＳ）を示す、送信すること（９４０）と、
前記特定のＵＥから前記Ｍｓｇ３を受信することであって、前記Ｍｓｇ３は、示された前記ＴＢＳがＤＬチャネル品質報告を搬送するのに十分に大きいとき、前記ＤＬチャネル品質報告を含む、前記Ｍｓｇ３を受信することと
を含む、方法。
【請求項９】
前記第１のインジケータが、前記セルにおいてブロードキャストされたシステム情報と、前記ＲＡ応答とのうちの１つ中で送信される、請求項８に記載の方法。
【請求項１０】
前記ＲＡ応答は、前記ＵＥが前記Ｍｓｇ３中に早期データ送信（ＥＤＴ）を実施するべきであるか否かを示す第２のインジケータを含み、
前記Ｍｓｇ３は、前記第２のインジケータが、前記ＵＥが前記Ｍｓｇ３中にＥＤＴを実施するべきであることを示すとき、前記ＤＬチャネル品質報告を含む、
請求項８または９に記載の方法。
【請求項１１】
前記セルにおいてブロードキャストされたシステム情報を介して、前記ネットワークノードが、前記Ｍｓｇ３中に早期データ送信（ＥＤＴ）を実施するように前記セルにおいてＲＡプロシージャを実施するＵＥに要求し得るか否かを示す第３のインジケータを送信すること（９２０）をさらに含む、請求項８から１０のいずれか一項に記載の方法。
【請求項１２】
Ｌｏｎｇ−Ｔｅｒｍ  Ｅｖｏｌｕｔｉｏｎ（ＬＴＥ）無線アクセスネットワーク（ＲＡＮ）におけるネットワークノードによって提供されるセルにおけるランダムアクセス（ＲＡ）プロシージャ中にダウンリンク（ＤＬ）チャネル品質報告を提供するように設定されたユーザ機器（ＵＥ）（１０１０、１１００、１４３０）であって、前記ＵＥは、
前記ネットワークノードと通信するように設定された無線インターフェース回路（１０１４、１１３１、１４３７）と、
前記無線インターフェース回路（１０１４、１１３１、１４３７）に動作可能に結合された処理回路（１０２０、１１０１、１４３８）であって、それにより、前記処理回路と前記無線インターフェース回路との組合せが、請求項１から７のいずれか一項に記載の方法のいずれかに対応する動作を実施するように設定された、処理回路（１０２０、１１０１、１４３８）と
を備える、ユーザ機器（ＵＥ）（１０１０、１１００、１４３０）。
【請求項１３】
Ｌｏｎｇ−Ｔｅｒｍ  Ｅｖｏｌｕｔｉｏｎ（ＬＴＥ）無線アクセスネットワーク（ＲＡＮ）におけるネットワークノードによって提供されるセルにおけるランダムアクセス（ＲＡ）プロシージャ中にダウンリンク（ＤＬ）チャネル品質報告を提供するように設定されたユーザ機器（ＵＥ）（１０１０、１１００、１４３０）であって、前記ＵＥが、請求項１から７のいずれか一項に記載の方法のいずれかに対応する動作を実施するようにさらに構成された、ユーザ機器（ＵＥ）（１０１０、１１００、１４３０）。
【請求項１４】
ユーザ機器（ＵＥ）（１０１０、１１００、１４３０）の処理回路（１０２０、１１０１、１４３８）によって実行されたとき、前記ＵＥを、請求項１から７のいずれか一項に記載の方法のいずれかに対応する動作を実施するように設定するコンピュータ実行可能命令を記憶する非一時的コンピュータ可読媒体（１０３０、１１２１）。
【請求項１５】
ユーザ機器（ＵＥ）（１０１０、１１００、１４３０）の処理回路（１０２０、１１０１、１４３８）によって実行されたとき、前記ＵＥを、請求項１から７のいずれか一項に記載の方法のいずれかに対応する動作を実施するように設定するコンピュータ実行可能命令を備えるコンピュータプログラム製品。
【請求項１６】
無線アクセスネットワーク（ＲＡＮ）におけるセルを提供し、ユーザ機器（ＵＥ）からのダウンリンク（ＤＬ）チャネル品質報告を可能にするように設定されたネットワークノード（１０６０、１４２７）であって、前記ネットワークノードは、
前記ＵＥと通信するように動作可能な無線インターフェース回路（１０９０、１４２７）と、
前記無線インターフェース回路（１０９０、１４２７）に動作可能に結合された処理回路（１０７０、１４２８）であって、それにより、前記処理回路と前記無線インターフェース回路とが、請求項８から１１のいずれか一項に記載の方法のいずれかに対応する動作を実施するように設定された、処理回路（１０７０、１４２８）と
を備える、ネットワークノード（１０６０、１４２７）。
【請求項１７】
無線アクセスネットワーク（ＲＡＮ）におけるセルを提供し、ユーザ機器（ＵＥ）からのダウンリンク（ＤＬ）チャネル品質報告を可能にするように設定されたネットワークノード（１０６０、１４２７）であって、前記ネットワークノードが、請求項８から１１のいずれか一項に記載の方法のいずれかに対応する動作を実施するようにさらに構成された、ネットワークノード（１０６０、１４２７）。
【請求項１８】
ネットワークノード（１０６０、１４２７）の処理回路（１０７０、１４２８）によって実行されたとき、前記ネットワークノードを、請求項８から１１のいずれか一項に記載の方法のいずれかに対応する動作を実施するように設定するコンピュータ実行可能命令を記憶する非一時的コンピュータ可読媒体（１０８０）。
【請求項１９】
ネットワークノード（１０６０、１４２７）の処理回路（１０７０、１４２８）によって実行されたとき、前記ネットワークノードを、請求項８から１１のいずれか一項に記載の方法のいずれかに対応する動作を実施するように設定するコンピュータ実行可能命令を備えるコンピュータプログラム製品。
【国際調査報告】
2021533651.tif 000026
2021533651.tif 000027
2021533651.tif 000028
2021533651.tif 000029